(57)【要約】  シャッタ眼鏡（５０）を通して表示画像を観賞する使用者に照明フリッカーが発生することを防止する。そのために、画像表示装置であるプラズマディスプレイ装置（４０）は、画像表示部であるプラズマディスプレイパネル（１０）と、３Ｄ画像信号にもとづき画像表示部に３Ｄ画像を表示する駆動回路とを備える。駆動回路は、画像表示部に右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とを有するシャッタ開閉用タイミング信号を発生する制御信号発生回路（４５）と、照明光が明滅する周期を照明周波数として検出する照明光周波数検出回路（４８）と、３Ｄ画像信号のフィールド周波数を変更することができる映像周波数変換回路（４９）とを有する。そして、照明光周波数検出回路（４８）において検出された照明周波数に応じて、映像周波数変換回路（４９）は３Ｄ画像信号のフィールド周波数を変更し、制御信号発生回路（４５）はシャッタ開閉用タイミング信号の周波数を変更する。
2012001962.tif 000002
【特許請求の範囲】
【請求項１】
画像表示部と、
右目用画像信号および左目用画像信号を有する３Ｄ画像信号にもとづき、前記右目用画像信号を表示する右目用フィールドと前記左目用画像信号を表示する左目用フィールドとを交互に繰り返して前記画像表示部に３Ｄ画像を表示する駆動回路とを備え、
前記駆動回路は、
前記画像表示部に前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とを有するシャッタ開閉用タイミング信号を発生する制御信号発生回路と、
照明光が明滅する周期を照明周波数として検出する照明光周波数検出回路と、
前記３Ｄ画像信号のフィールド周波数を変更することができる映像周波数変換回路とを有し、
前記照明光周波数検出回路において検出された前記照明周波数に応じて、前記映像周波数変換回路は前記３Ｄ画像信号のフィールド周波数を変更し、前記制御信号発生回路は前記シャッタ開閉用タイミング信号の周波数を変更する
ことを特徴とする画像表示装置。
【請求項２】
前記駆動回路は、
前記照明光周波数検出回路において検出された前記照明周波数が前記３Ｄ画像信号のフィールド周波数と異なるときに、
前記３Ｄ画像信号のフィールド周波数が前記照明周波数と等しくなるように前記３Ｄ画像信号のフィールド周波数を変更するとともに、前記３Ｄ画像信号のフィールド周波数の変更に応じて前記シャッタ開閉用タイミング信号の周波数を変更する
ことを特徴とする請求項１に記載の画像表示装置。
【請求項３】
前記駆動回路には、
前記３Ｄ画像信号と、右目用画像信号および左目用画像信号の区別がない２Ｄ画像信号とが入力され、
前記駆動回路は、前記３Ｄ画像信号が入力されたときのみ、前記照明周波数に応じた前記フィールド周波数の変更および前記シャッタ開閉用タイミング信号の周波数変更を行う
ことを特徴とする請求項１に記載の画像表示装置。
【請求項４】
前記駆動回路は、照明光の平均照度を検出する平均照度検出部を有し、前記平均照度検出部において検出された平均照度が平均照度しきい値未満であれば、前記映像周波数変換回路は前記照明周波数に応じた前記フィールド周波数の変更を行わず、前記制御信号発生回路は前記シャッタ開閉用タイミング信号の周波数変更を行わない
ことを特徴とする請求項１に記載の画像表示装置。
【請求項５】
前記駆動回路は、照明光の最低照度を検出する最低照度検出部を有し、前記最低照度検出部において検出された最低照度が最低照度しきい値以上であれば、前記映像周波数変換回路は前記照明周波数に応じた前記フィールド周波数の変更を行わず、前記制御信号発生回路は前記シャッタ開閉用タイミング信号の周波数変更を行わない
ことを特徴とする請求項１に記載の画像表示装置。
【請求項６】
画像表示部と、
右目用画像信号および左目用画像信号を有する３Ｄ画像信号にもとづき、前記右目用画像信号を表示する右目用フィールドと前記左目用画像信号を表示する左目用フィールドとを交互に繰り返して前記画像表示部に３Ｄ画像を表示する駆動回路とを備え、
前記画像表示部に前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とを有するシャッタ開閉用タイミング信号を発生する画像表示装置の駆動方法であって、
照明光が明滅する周期を照明周波数として検出し、
前記照明周波数に応じて、前記３Ｄ画像信号のフィールド周波数および前記シャッタ開閉用タイミング信号の周波数を変更する
ことを特徴とする画像表示装置の駆動方法。
【請求項７】
前記駆動回路には、前記３Ｄ画像信号と、右目用画像信号および左目用画像信号の区別がない２Ｄ画像信号とが入力され、
前記３Ｄ画像信号が入力されたときのみ、前記照明周波数に応じた前記フィールド周波数の変更および前記シャッタ開閉用タイミング信号の周波数変更を行う
ことを特徴とする請求項６に記載の画像表示装置の駆動方法。
【請求項８】
照明光の平均照度を検出し、前記平均照度が平均照度しきい値未満であれば、前記照明周波数に応じた前記フィールド周波数の変更および前記シャッタ開閉用タイミング信号の周波数変更を行わない
ことを特徴とする請求項６に記載の画像表示装置の駆動方法。
【請求項９】
照明光の最低照度を検出し、前記最低照度が最低照度しきい値以上であれば、前記照明周波数に応じた前記フィールド周波数の変更および前記シャッタ開閉用タイミング信号の周波数変更を行わない
ことを特徴とする請求項６に記載の画像表示装置の駆動方法。
【請求項１０】
画像表示部と、
右目用画像信号および左目用画像信号を有する３Ｄ画像信号にもとづき、前記右目用画像信号を表示する右目用フィールドと前記左目用画像信号を表示する左目用フィールドとを交互に繰り返して前記画像表示部に３Ｄ画像を表示する駆動回路とを備え、
前記駆動回路は、
前記画像表示部に前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とを有するシャッタ開閉用タイミング信号を発生する制御信号発生回路と、
照明光が明滅する周期を照明周波数として検出する照明光周波数検出回路と、
前記３Ｄ画像信号のフィールド周波数を変更することができる映像周波数変換回路とを有する画像表示装置と、
それぞれ独立にシャッタの開閉が可能な右目用シャッタおよび左目用シャッタを有し、前記制御信号発生回路で発生した前記シャッタ開閉用タイミング信号でシャッタの開閉が制御されるシャッタ眼鏡とを備えた画像表示システムであって、
前記照明光周波数検出回路において検出された前記照明周波数に応じて、前記映像周波数変換回路は前記３Ｄ画像信号のフィールド周波数を変更し、前記制御信号発生回路は前記シャッタ開閉用タイミング信号の周波数を変更し、
前記シャッタ眼鏡は、周波数が変更された前記シャッタ開閉用タイミング信号によってシャッタの開閉が制御される
ことを特徴とする画像表示システム。
【発明の詳細な説明】
【技術分野】
【０００１】
本発明は、画像表示パネルに交互に表示される右目用画像と左目用画像とからなる立体画像をシャッタ眼鏡を用いて立体視することができる画像表示装置、画像表示システム、および画像表示装置の駆動方法に関する。
【背景技術】
【０００２】
近年、薄型の画像表示装置として、液晶ディスプレイパネルやプラズマディスプレイパネルを用いたテレビジョン装置やモニター装置が、広く普及しつつある。例えば、プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
パネルにおける画像表示品質を高める上で重要な要因の１つにコントラストの向上がある。そして、サブフィールド法の１つとして、階調表示に関係しない発光を極力減らしコントラスト比を向上させる駆動方法が開示されている。【００１０】
この駆動方法では、１フィールドを構成する複数のサブフィールドのうち、１つのサブフィールドの初期化期間では全ての放電セルに初期化放電を発生する初期化動作を行う。また、他のサブフィールドの初期化期間では直前のサブフィールドの維持期間で維持放電を発生した放電セルに対して選択的に初期化放電を発生する初期化動作を行う。【００１１】
維持放電を発生しない黒を表示する領域の輝度（以下、「黒輝度」と略記する）は、画像の表示に関係のない発光によって変化する。この発光には、例えば、初期化放電によって生じる発光がある。そして、上述の駆動方法では、黒を表示する領域における発光は全ての放電セルに初期化放電を発生するときの微弱発光だけとなる。これにより、黒輝度を低減してコントラストの高い画像を表示することが可能になる（例えば、特許文献１参照）。【００１２】
家庭用として広く用いられている蛍光灯を使用した照明器具は、一般的には、電力原として使用する交流電源の周波数に応じた周期で明滅を繰り返す。照明器具には、例えば、交流電源の周波数の２倍の周期で明滅を繰り返すものがあり、そのような照明器具では、電力原として用いる交流電源が５０Ｈｚであれば、その２倍の１００Ｈｚの周期で明滅を繰り返し、６０Ｈｚの交流電源であれば、その２倍の１２０Ｈｚの周期で明滅を繰り返す。以下、このような明滅の繰り返しを「照明周波数」と呼称する。【００１３】
それに対し、画像表示装置に１秒間に表示される画像の枚数（フィールドの数は、電力原として使用する交流電源の周波数ではなく、画像信号によって決定される。以下、１秒間に表示されるフィールドの数のことを「フィールド周波数」と呼称する。画像信号には、フィールド周波数が６０Ｈｚのものや５０Ｈｚのもの等、様々なものがある。そのため、電力原として使用する交流電源の周波数が５０Ｈｚであっても、画像信号のフィールド周波数が６０Ｈｚであれば、画像表示装置には、１秒間に６０枚、あるいはその整数倍の画像（フィールド）が表示される。【００１４】
このとき、例えば外光を光源として用いる表示装置（例えば、反射型の液晶ディスプレイパネルを用いた表示装置等）では、照明周波数とフィールド周波数とが異なると、それらの周波数の差に応じて、照明光の明滅のタイミングと画像信号のフィールドの切り替わりのタイミングとがずれるため、表示画像にちらつき（フリッカー）が見えることがある。そこで、外光の明るさの変化を検出することで照明周波数を検出し、検出した照明周波数にもとづき画像信号のフィールド周波数を変更することで、このちらつきを低減する技術が開示されている（例えば、特許文献２、特許文献３参照）。【００１５】
また、電力原として用いる交流電源の周波数にもとづき画像信号のフィールド周波数を変更することで、液晶ディスプレイパネルに表示される画像に照明光が干渉して生じるちらつきを低減する技術が開示されている（例えば、特許文献４参照）。【００１６】
また、外光の明るさの変化を検出することで照明周波数を検出し、検出した照明周波数にもとづき画像信号のフィールド周波数を変更することで、画像表示部に表示される画像に照明光が干渉して生じるちらつきを低減する技術が開示されている（例えば、特許文献５参照）。【００１７】
一方、プラズマディスプレイ装置では、パネル自体が発光するとともにサブフィールド法によってパネルに画像を表示するため、上述したちらつきは発生しにくい。また、インバーター等によって高速に明滅を繰り返す蛍光灯や、発光ダイオード（ＬＥＤ）等をバックライト（光源）とする液晶ディスプレイ装置においても、上述したちらつきは発生しにくい。【００１８】
近年、立体視が可能な３次元画像（３  Ｄｉｍｅｎｓｉｏｎａｌ  ｉｍａｇｅ：以下「３Ｄ画像」と記す）を画像表示面に表示する３Ｄ画像表示装置として、プラズマディスプレイ装置や液晶ディスプレイ装置、あるいはＥＬ（Ｅｌｅｃｔｒｏｌｕｍｉｎｅｓｃｅｎｃｅ）ディスプレイ装置等を用いることが検討されている。【００１９】
プラズマディスプレイ装置を用いて３Ｄ画像を立体視する方法の１つとして、例えば、複数のサブフィールドを、右目用画像を表示するサブフィールド群と左目用画像を表示するサブフィールド群とに分ける方法が開示されている（例えば、特許文献６参照）。【００２０】
１枚の３Ｄ画像は、１枚の右目用画像と１枚の左目用画像とで構成されており、３Ｄ画像表示装置に３Ｄ画像を表示する際には、画像表示面に右目用画像と左目用画像とを交互に表示する。【００２１】
そのため、３Ｄ画像を表示する際は、単位時間（例えば、１秒間）に画像表示面に表示される画像の半分が右目用画像となり、残りの半分が左目用画像となる。したがって、１秒間に画像表示面に表示される３Ｄ画像の数は、フィールド周波数（１秒間に表示されるフィールドの数）の半分となる。そして、単位時間に画像表示面に表示される画像の数が少なくなると、フリッカーと呼ばれる画像のちらつきが見えやすくなる。【００２２】
３Ｄ画像でない画像、すなわち、右目用、左目用の区別がない通常画像（以下、「２Ｄ画像」と記す）をパネルに表示する際は、例えば、フィールド周波数が６０Ｈｚであれば、１秒間に６０枚の画像がパネルに表示される。したがって、フリッカーを低減するために、単位時間にパネルに表示される３Ｄ画像の数を２Ｄ画像と同じ（例えば、６０枚／秒）にするためには、３Ｄ画像信号のフィールド周波数を２Ｄ画像信号の２倍（例えば、１２０Ｈｚ）に設定する必要がある。【００２３】
一方、３Ｄ画像表示装置に表示された３Ｄ画像を使用者が観賞する際には、使用者は、シャッタ眼鏡と呼ばれる特殊な眼鏡を用いる。【００２４】
シャッタ眼鏡は、右目用のシャッタと左目用のシャッタとを備えており、シャッタの開閉を制御する制御信号に応じて左右のシャッタが交互に開閉する。この制御信号は、右目用画像を表示するフィールドと左目用画像を表示するフィールドとのそれぞれに同期して左右のシャッタが交互に開閉するように、３Ｄ画像表示装置からシャッタ眼鏡に供給される。【００２５】
この制御信号を受けて、シャッタ眼鏡は、画像表示面に右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、シャッタ眼鏡を通して３Ｄ画像を鑑賞する使用者は、右目用画像を右目だけで観測し、左目用画像を左目だけで観測することができるので、画像表示面に表示される３Ｄ画像を立体視することができる。【００２６】
しかしながら、シャッタ眼鏡を使用する使用者は、画像表示面に表示される３Ｄ画像だけでなく、照明器具が発生する照明光も、シャッタ眼鏡を通して見ることになる。【００２７】
フィールド周波数が１２０Ｈｚの３Ｄ画像信号を３Ｄ画像表示装置に表示する場合、３Ｄ画像表示装置には、１秒間に１２０枚の画像が表示される。したがって、その画像を鑑賞するためのシャッタ眼鏡は、位相が互いに１８０度ずれた６０Ｈｚの周期で左右のシャッタが開閉動作を繰り返す。【００２８】
例えば、照明周波数が１２０Ｈｚとなる照明器具の下に、この３Ｄ画像表示装置を設置し、１２０Ｈｚの３Ｄ画像を使用者が鑑賞する場合、シャッタ眼鏡のシャッタが開閉するタイミングと照明光が明滅するタイミングとは、互いに、実質的に同期する。そのため、シャッタ眼鏡を通して３Ｄ画像を鑑賞する使用者に、照明の明るさが変化したように感じられる可能性は低く、使用者は特に違和感を感じることなく３Ｄ画像を鑑賞することができると考えられる。【００２９】
一方、照明周波数が１００Ｈｚとなる照明器具の下に、この３Ｄ画像表示装置を設置し、１２０Ｈｚの３Ｄ画像を使用者が鑑賞する場合、照明周波数が１００Ｈｚであるのに対し、シャッタ眼鏡のシャッタ開閉動作は６０Ｈｚである。そのため、シャッタ眼鏡のシャッタが開閉するタイミングと照明光が明滅するタイミングとは、互いの周期の差に応じたずれを生じる。その結果、シャッタが開いているときに使用者の眼に入る照明光の明るさは、時間的に変化することになる。そのため、シャッタ眼鏡を通して３Ｄ画像を鑑賞する使用者には、照明の明るさが時間的に変化しているように感じられるおそれがある。以下、このような明るさの変化を「照明フリッカー」と呼称する。【００３０】
画像表示面の大画面化、高精細度化にともない、画像表示装置における更なる品質向上が望まれており、３Ｄ画像表示装置においても、高い品質が望まれている。したがって、シャッタ眼鏡を通して３Ｄ画像を鑑賞する使用者に、この照明フリッカーが発生することは、望ましくない。
【先行技術文献】
【特許文献】
【００３１】
【特許文献１】特開２０００−２４２２２４号公報
【特許文献２】特開２００１−３０６０３３号公報
【特許文献３】特開２００８−１３９７５３号公報
【特許文献４】特開２００２−２０２７７２号公報
【特許文献５】特開平９−１９８００２号公報
【特許文献６】特開２０００−１１２４２８号公報
【発明の概要】
【００３２】
本発明は、画像表示部と、右目用画像信号および左目用画像信号を有する３Ｄ画像信号にもとづき、右目用画像信号を表示する右目用フィールドと左目用画像信号を表示する左目用フィールドとを交互に繰り返して画像表示部に３Ｄ画像を表示する駆動回路とを備える画像表示装置である。駆動回路は、画像表示部に右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とを有するシャッタ開閉用タイミング信号を発生する制御信号発生回路と、照明光が明滅する周期を照明周波数として検出する照明光周波数検出回路と、３Ｄ画像信号のフィールド周波数を変更することができる映像周波数変換回路とを有する。そして、照明光周波数検出回路において検出された照明周波数に応じて、映像周波数変換回路は３Ｄ画像信号のフィールド周波数を変更し、制御信号発生回路はシャッタ開閉用タイミング信号の周波数を変更することを特徴とする。
【００３３】
これにより、３Ｄ画像表示装置として使用可能な画像表示装置において、シャッタ眼鏡を通して表示画像を観賞する使用者に照明フリッカーが発生することを防止することができる。
【００３４】
また、本発明の画像表示装置における駆動回路は、照明光周波数検出回路において検出された照明周波数が３Ｄ画像信号のフィールド周波数と異なるときに、３Ｄ画像信号のフィールド周波数が照明周波数と等しくなるように３Ｄ画像信号のフィールド周波数を変更するとともに、３Ｄ画像信号のフィールド周波数の変更に応じてシャッタ開閉用タイミング信号の周波数を変更する。
【００３５】
また、本発明の画像表示装置における駆動回路には、３Ｄ画像信号と、右目用画像信号および左目用画像信号の区別がない２Ｄ画像信号とが入力される。そして、駆動回路は、３Ｄ画像信号が入力されたときのみ、照明周波数に応じたフィールド周波数の変更およびシャッタ開閉用タイミング信号の周波数変更を行う。
【００３６】
また、本発明の画像表示装置における駆動回路は、照明光の平均照度を検出する平均照度検出部を有し、平均照度検出部において検出された平均照度が平均照度しきい値未満であれば、映像周波数変換回路は照明周波数に応じたフィールド周波数の変更を行わず、制御信号発生回路はシャッタ開閉用タイミング信号の周波数変更を行わない構成であってもよい。
【００３７】
また、本発明の画像表示装置における駆動回路は、照明光の最低照度を検出する最低照度検出部を有し、最低照度検出部において検出された最低照度が最低照度しきい値以上であれば、映像周波数変換回路は照明周波数に応じたフィールド周波数の変更を行わず、制御信号発生回路はシャッタ開閉用タイミング信号の周波数変更を行わない構成であってもよい。
【００３８】
本発明は、画像表示部と、右目用画像信号および左目用画像信号を有する３Ｄ画像信号にもとづき、右目用画像信号を表示する右目用フィールドと左目用画像信号を表示する左目用フィールドとを交互に繰り返して画像表示部に３Ｄ画像を表示する駆動回路とを備え、画像表示部に右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とを有するシャッタ開閉用タイミング信号を発生する画像表示装置の駆動方法である。そして、照明光が明滅する周期を照明周波数として検出し、照明周波数に応じて、３Ｄ画像信号のフィールド周波数およびシャッタ開閉用タイミング信号の周波数を変更する。
【００３９】
これにより、３Ｄ画像表示装置として使用可能な画像表示装置において、シャッタ眼鏡を通して表示画像を観賞する使用者に照明フリッカーが発生することを防止することができる。
【００４０】
また、本発明の画像表示装置の駆動方法において、駆動回路には、３Ｄ画像信号と、右目用画像信号および左目用画像信号の区別がない２Ｄ画像信号とが入力され、３Ｄ画像信号が入力されたときのみ、照明周波数に応じたフィールド周波数の変更およびシャッタ開閉用タイミング信号の周波数変更を行う。
【００４１】
また、本発明の画像表示装置の駆動方法では、照明光の平均照度を検出し、平均照度が平均照度しきい値未満であれば、照明周波数に応じたフィールド周波数の変更およびシャッタ開閉用タイミング信号の周波数変更を行わなくともよい。
【００４２】
また、本発明の画像表示装置の駆動方法では、照明光の最低照度を検出し、最低照度が最低照度しきい値以上であれば、照明周波数に応じたフィールド周波数の変更およびシャッタ開閉用タイミング信号の周波数変更を行わなくともよい。
【００４３】
本発明は、画像表示装置とシャッタ眼鏡とを備える画像表示システムである。画像表示装置は、画像表示部と、右目用画像信号および左目用画像信号を有する３Ｄ画像信号にもとづき、右目用画像信号を表示する右目用フィールドと左目用画像信号を表示する左目用フィールドとを交互に繰り返して画像表示部に３Ｄ画像を表示する駆動回路とを備える。そして、駆動回路は、画像表示部に右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とを有するシャッタ開閉用タイミング信号を発生する制御信号発生回路と、照明光が明滅する周期を照明周波数として検出する照明光周波数検出回路と、３Ｄ画像信号のフィールド周波数を変更することができる映像周波数変換回路とを有する。シャッタ眼鏡は、それぞれ独立にシャッタの開閉が可能な右目用シャッタおよび左目用シャッタを有し、制御信号発生回路で発生したシャッタ開閉用タイミング信号でシャッタの開閉が制御される。そして、照明光周波数検出回路において検出された照明周波数に応じて、映像周波数変換回路は３Ｄ画像信号のフィールド周波数を変更し、制御信号発生回路はシャッタ開閉用タイミング信号の周波数を変更する。そして、シャッタ眼鏡は、周波数が変更されたシャッタ開閉用タイミング信号によってシャッタの開閉が制御される。
【００４４】
これにより、３Ｄ画像表示装置として使用可能な画像表示システムにおいて、シャッタ眼鏡を通して表示画像を観賞する使用者に照明フリッカーが発生することを防止することができる。
【図面の簡単な説明】
【００４５】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムの概要を概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置に用いるパネルの各電極に印加する駆動電圧波形およびシャッタ眼鏡のシャッタ開閉動作を概略的に示す波形図である。
【図６】図６は、プラズマディスプレイ装置が設置された環境下を照明する照明器具における照明光の明滅とシャッタ眼鏡におけるシャッタ開閉動作の一例を概略的に示す波形図である。
【図７】図７は、プラズマディスプレイ装置が設置された環境下を照明する照明器具における照明光の明滅とシャッタ眼鏡におけるシャッタ開閉動作の他の一例を概略的に示す波形図である。
【図８】図８は、本発明の実施の形態１における照度検出回路の回路ブロックを概略的に示す図である。
【図９】図９は、本発明の実施の形態１における照明光周波数検出回路の回路ブロックを概略的に示す図である。
【図１０】図１０は、本発明の実施の形態１における映像周波数変換回路の回路ブロックを概略的に示す図である。
【図１１】図１１は、本発明の実施の形態１における周波数変換部においてフィールド周波数が１２０Ｈｚの３Ｄ画像信号をフィールド周波数が１００Ｈｚの３Ｄ画像信号に変更するときの例を概略的に示す図である。
【図１２】図１２は、本発明の実施の形態１における周波数変換部においてフィールド周波数１２０Ｈｚの３Ｄ画像信号をフィールド周波数１００Ｈｚの３Ｄ画像信号に変更するときの重み付け計数の一設定例を概略的に示す図である。
【図１３】図１３は、本発明の実施の形態１における周波数変換部において２枚の連続する右目用画像から１枚の右目用補間画像を作成するときの動作の一例を概略的に示す図である。
【図１４】図１４は、本発明の実施の形態１における周波数変換部においてフィールド周波数が１００Ｈｚの３Ｄ画像信号をフィールド周波数が１２０Ｈｚの３Ｄ画像信号に変更するときの例を概略的に示す図である。
【図１５】図１５は、本発明の実施の形態１における周波数変換部においてフィールド周波数１００Ｈｚの３Ｄ画像信号をフィールド周波数１２０Ｈｚの３Ｄ画像信号に変更するときの重み付け計数の一設定例を概略的に示す図である。
【図１６】図１６は、本発明の実施の形態２におけるプラズマディスプレイ装置の回路ブロックおよびプラズマディスプレイシステムの概要を概略的に示す図である。
【図１７】図１７は、本発明の実施の形態２における映像周波数変換回路の回路ブロックの一例を概略的に示す図である。
【図１８】図１８は、本発明の実施の形態２における映像周波数変換回路の回路ブロックの他の一例を概略的に示す図である。
【発明を実施するための形態】
【００４６】
以下、本発明の実施の形態における画像表示装置および画像表示システムについて説明する。
【００４７】
なお、以下では、画像表示装置としてプラズマディスプレイ装置を例に挙げて説明しているが、本発明は、画像表示装置がプラズマディスプレイ装置に限定されるものではない。本発明は、液晶ディスプレイ装置やＥＬディスプレイ装置等、右目用画像と左目用画像とを交互に表示することで画像表示面に３Ｄ画像を表示することができる画像表示装置であれば、以下と同様の構成により同様の効果を得ることができる。
【００４８】
以下、本発明の実施の形態の一例であるプラズマディスプレイ装置およびプラズマディスプレイシステムについて、図面を用いて説明する。
【００４９】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００５０】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００５１】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００５２】
本実施の形態においては、青色蛍光体としてＢａＭｇＡｌ１０Ｏ１７：Ｅｕを用い、緑色蛍光体としてＺｎ２ＳｉＯ４：Ｍｎを用い、赤色蛍光体として（Ｙ、Ｇｄ）ＢＯ３：Ｅｕを用いている。しかし、本発明は蛍光体層３５を形成する蛍光体が何ら上述の蛍光体に限定されるものではない。なお、蛍光体の残光が減衰する時間を表す時定数は、蛍光体材料により異なるが、青色蛍光体が１ｍｓｅｃ以下、緑色蛍光体が２ｍｓｅｃ〜５ｍｓｅｃ程度、赤色蛍光体が３ｍｓｅｃ〜４ｍｓｅｃ程度である。例えば、本実施の形態において、蛍光体層３５Ｂの時定数は約０．１ｍｓｅｃ程度であり、蛍光体層３５Ｇおよび蛍光体層３５Ｒの時定数は約３ｍｓｅｃ程度である。なお、この時定数は、放電終了後、放電発生時の発光輝度（ピーク輝度）の１０％程度まで残光が減衰するのに要する時間とする。
【００５３】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００５４】
放電空間は隔壁３４によって複数の区画に仕切られており、表示電極対２４とデータ電極３２とが交差する部分に放電セルが形成されている。
【００５５】
そして、これらの放電セルで放電を発生し、放電セルの蛍光体層３５を発光（放電セルを点灯）することにより、パネル１０にカラーの画像を表示する。
【００５６】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００５７】
なお、パネル１０の構造は上述したものに限られるわけではなく、例えばストライプ状の隔壁を備えたものであってもよい。
【００５８】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００５９】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００６０】
図３は、本発明の実施の形態１におけるプラズマディスプレイ装置４０の回路ブロックおよびプラズマディスプレイシステムの概要を概略的に示す図である。本実施の形態に示すプラズマディスプレイシステムは、プラズマディスプレイ装置４０とシャッタ眼鏡５０とを構成要素に含む。
【００６１】
なお、図３には、プラズマディスプレイ装置４０を照明する照明器具は図示していないが、本実施の形態におけるプラズマディスプレイ装置４０は、照明器具が発生する照明光の照明周波数に応じた動作をする。
【００６２】
画像表示装置であるプラズマディスプレイ装置４０は、画像表示部であるパネル１０と、パネル１０を駆動する駆動回路とを備えている。駆動回路は、画像信号処理回路４１、データ電極駆動回路４２、走査電極駆動回路４３、維持電極駆動回路４４、制御信号発生回路４５、照度検出回路４７、照明光周波数検出回路４８、映像周波数変換回路４９および各回路ブロックに必要な電源を供給する電源回路（図示せず）を備えている。
【００６３】
駆動回路は、３Ｄ画像信号にもとづき右目用フィールドと左目用フィールドとを交互に繰り返してパネル１０に３Ｄ画像を表示する３Ｄ駆動と、右目用、左目用の区別がない２Ｄ画像信号にもとづきパネル１０に２Ｄ画像を表示する２Ｄ駆動とのいずれかでパネル１０を駆動する。また、プラズマディスプレイ装置４０は、使用者が使用するシャッタ眼鏡５０のシャッタの開閉を制御するシャッタ開閉用タイミング信号をシャッタ眼鏡５０に出力するタイミング信号出力部４６を備えている。シャッタ眼鏡５０は、３Ｄ画像をパネル１０に表示するときに使用者が使用するものであり、使用者はシャッタ眼鏡５０を通してパネル１０に映し出される３Ｄ画像を観賞することで３Ｄ画像を立体視することができる。
【００６４】
画像信号処理回路４１は、２Ｄ画像信号または３Ｄ画像信号が入力され、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００６５】
画像信号処理回路４１に入力される画像信号が、赤の原色信号ｓｉｇＲ、緑の原色信号ｓｉｇＧ、青の原色信号ｓｉｇＢを含むときには、画像信号処理回路４１は、原色信号ｓｉｇＲ、原色信号ｓｉｇＧ、原色信号ｓｉｇＢにもとづき、各放電セルにＲ、Ｇ、Ｂの各階調値を割り当てる。また、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき原色信号ｓｉｇＲ、原色信号ｓｉｇＧ、原色信号ｓｉｇＢを算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００６６】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００６７】
制御信号発生回路４５は、入力信号にもとづき２Ｄ画像信号および３Ｄ画像信号のいずれがプラズマディスプレイ装置４０に入力されているのかを判別する。そして、その判別結果にもとづき、２Ｄ画像または３Ｄ画像をパネル１０に表示するために、各駆動回路を制御する制御信号を発生する。
【００６８】
具体的には、制御信号発生回路４５は、入力信号のうちの水平同期信号および垂直同期信号の周波数からプラズマディスプレイ装置４０への入力信号が３Ｄ画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を３Ｄ画像信号と判断する。
【００６９】
なお、入力信号に２Ｄ画像信号と３Ｄ画像信号とを判別するための判別信号が付加されているときには、制御信号発生回路４５は、その判別信号にもとづき、２Ｄ画像信号および３Ｄ画像信号のいずれが入力されているのかを判別する構成であってもよい。
【００７０】
そして、水平同期信号および垂直同期信号にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路４１等）へ供給する。
【００７１】
また、制御信号発生回路４５は、３Ｄ画像をパネル１０に表示する際に、シャッタ眼鏡５０のシャッタの開閉を制御するシャッタ開閉用タイミング信号をタイミング信号出力部４６に出力する。なお、制御信号発生回路４５は、シャッタ眼鏡５０のシャッタを開く（可視光を透過する状態にする）ときにはシャッタ開閉用タイミング信号をオン（「１」）にし、シャッタ眼鏡５０のシャッタを閉じる（可視光を遮断する状態にする）ときにはシャッタ開閉用タイミング信号をオフ（「０」）にする。
【００７２】
また、シャッタ開閉用タイミング信号は、パネル１０に３Ｄ画像の右目用画像信号にもとづく右目用フィールドを表示するときにオンとなり、左目用画像信号にもとづく左目用フィールドを表示するときにオフとなる右目用タイミング信号（右目シャッタ開閉用タイミング信号）と、３Ｄ画像の左目用画像信号にもとづく左目用フィールドを表示するときにオンとなり、右目用画像信号にもとづく右目用フィールドを表示するときにオフとなる左目用タイミング信号（左目シャッタ開閉用タイミング信号）とからなる。
【００７３】
なお、本実施の形態において、水平同期信号および垂直同期信号の周波数は、何ら上述した数値に限定されるものではない。
【００７４】
照度検出回路４７は、光の強さ（照度）に応じて発生電流または抵抗値が変化する光検出部を有し、プラズマディスプレイ装置４０の周囲の明るさを検出する。そして、検出した結果を映像周波数変換回路４９に出力する。
【００７５】
照明光周波数検出回路４８は、照度検出回路４７に備えられた光検出部と同様の光検出部を有し、プラズマディスプレイ装置４０の周囲の明るさの変化の周期を検出する。家庭用として広く用いられている蛍光灯を使用した照明器具には、電力原として使用する交流電源の周波数に応じて明滅を繰り返すものがある。そして、照明光周波数検出回路４８は、この照明光の明滅の繰り返し、すなわち「照明周波数」を検出する。そして、検出した結果を映像周波数変換回路４９に出力する。
【００７６】
映像周波数変換回路４９は、照度検出回路４７における検出結果、および照明光周波数検出回路４８における検出結果にもとづき、３Ｄ画像信号のフィールド周波数（１秒間に発生するフィールドの数のこと、以下、「映像周波数」とも記す）および垂直同期信号の周波数を変更する。例えば、照明光周波数検出回路４８において検出される照明周波数が１００Ｈｚであり、３Ｄ画像信号のフィールド周波数および垂直同期信号が１２０Ｈｚであれば、映像周波数変換回路４９は、３Ｄ画像信号のフィールド周波数および垂直同期信号の周波数を１２０Ｈｚから１００Ｈｚに変更する。あるいは、照明光周波数検出回路４８において検出される照明周波数が１２０Ｈｚであり、３Ｄ画像信号のフィールド周波数および垂直同期信号が１００Ｈｚであれば、映像周波数変換回路４９は、３Ｄ画像信号のフィールド周波数および垂直同期信号の周波数を１００Ｈｚから１２０Ｈｚに変更する。
【００７７】
ただし、映像周波数変換回路４９は、照明光周波数検出回路４８において検出される照明周波数と、３Ｄ画像信号のフィールド周波数および垂直同期信号とが互いに等しいとき、および、パネル１０に表示される画像が２Ｄ画像であるときには、画像信号および垂直同期信号に変更を加えない。
【００７８】
なお、制御信号発生回路４５は、映像周波数変換回路４９によって周波数が変更された後の垂直同期信号にもとづき、各回路ブロックの動作を制御する各種の制御信号を発生するものとする。したがって、例えば、照明光周波数検出回路４８において検出される照明周波数が１００Ｈｚであれば、画像信号処理回路４１に入力される画像信号（３Ｄ画像信号）のフィールド周波数が１２０Ｈｚであっても、制御信号発生回路４５は、シャッタ眼鏡５０の左右のシャッタ（左目用シャッタ５２Ｌおよび右目用シャッタ５２Ｒ）がそれぞれ１秒間に５０回ずつ開閉動作を繰り返すように、シャッタ開閉用タイミング信号を生成する。あるいは、照明光周波数検出回路４８において検出される照明周波数が１２０Ｈｚであれば、画像信号処理回路４１に入力される画像信号（３Ｄ画像信号）のフィールド周波数が１００Ｈｚであっても、制御信号発生回路４５は、シャッタ眼鏡５０の左右のシャッタ（左目用シャッタ５２Ｌおよび右目用シャッタ５２Ｒ）がそれぞれ１秒間に６０回ずつ開閉動作を繰り返すように、シャッタ開閉用タイミング信号を生成する。このように、制御信号発生回路４５は、照明光周波数検出回路４８において検出された照明周波数に応じてシャッタ開閉用タイミング信号の周波数を変更する。
【００７９】
以下、例えば、シャッタ眼鏡５０の左右のシャッタがそれぞれ１秒間に５０回ずつ開閉動作を繰り返すように生成されたシャッタ開閉用タイミング信号は、「シャッタ開閉用タイミング信号の周波数は５０Ｈｚである」と表現し、シャッタ眼鏡５０の左右のシャッタがそれぞれ１秒間に６０回ずつ開閉動作を繰り返すように生成されたシャッタ開閉用タイミング信号は、「シャッタ開閉用タイミング信号の周波数は６０Ｈｚである」と表現する。
【００８０】
すなわち、照明光周波数検出回路４８において検出される照明周波数が１００Ｈｚであれば、タイミング信号出力部４６からシャッタ眼鏡５０に供給されるシャッタ開閉用タイミング信号は５０Ｈｚとなり、照明光周波数検出回路４８において検出される照明周波数が１２０Ｈｚであれば、タイミング信号出力部４６からシャッタ眼鏡５０に供給されるシャッタ開閉用タイミング信号は６０Ｈｚとなる。
【００８１】
これにより、本実施の形態では、照明光の明滅周期（照明周波数）と３Ｄ画像信号のフィールド周波数との間に差があるときに、シャッタ眼鏡５０のシャッタ開閉動作を、照明光が明滅する周期とタイミングが合った状態（互いに同期がとれた状態）にし、シャッタ眼鏡５０を通してパネル１０に表示される３Ｄ画像を鑑賞する使用者に、照明フリッカーが発生することを防止する。
【００８２】
なお、照度検出回路４７、照明光周波数検出回路４８、映像周波数変換回路４９の詳細については、後述する。
【００８３】
走査電極駆動回路４３は、初期化波形発生回路、維持パルス発生回路、走査パルス発生回路（図３には示さず）を備え、制御信号発生回路４５から供給される制御信号にもとづいて駆動電圧波形を作成し、走査電極ＳＣ１〜走査電極ＳＣｎのそれぞれに印加する。初期化波形発生回路は、初期化期間に、制御信号にもとづいて走査電極ＳＣ１〜走査電極ＳＣｎに印加する初期化波形を発生する。維持パルス発生回路は、維持期間に、制御信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、制御信号にもとづいて走査電極ＳＣ１〜走査電極ＳＣｎに印加する走査パルスを発生する。
【００８４】
維持電極駆動回路４４は、維持パルス発生回路、および電圧Ｖｅ１、電圧Ｖｅ２を発生する回路を備え（図３には示さず）、制御信号発生回路４５から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。
【００８５】
データ電極駆動回路４２は、２Ｄ画像信号にもとづく画像データ、または、３Ｄ画像信号にもとづく右目用画像データおよび左目用画像データを構成するサブフィールド毎のデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では書込みパルスを発生し、各データ電極Ｄ１〜データ電極Ｄｍに印加する。
【００８６】
タイミング信号出力部４６は、ＬＥＤ（Ｌｉｇｈｔ  Ｅｍｉｔｔｉｎｇ  Ｄｉｏｄｅ）等の発光素子を有する。そして、シャッタ開閉用タイミング信号を、例えば赤外線の信号に変換してシャッタ眼鏡５０に供給する。
【００８７】
シャッタ眼鏡５０は、タイミング信号出力部４６から出力される信号（例えば赤外線の信号）を受信する信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、タイミング信号出力部４６から供給されるシャッタ開閉用タイミング信号にもとづいて右目用シャッタ５２Ｒおよび左目用シャッタ５２Ｌを開閉する。
【００８８】
右目用シャッタ５２Ｒは、右目用タイミング信号がオンのときには開き（可視光を透過し）、オフのときには閉じる（可視光を遮断する）。左目用シャッタ５２Ｌは、左目用タイミング信号がオンのときには開き（可視光を透過し）、オフのときには閉じる（可視光を遮断する）。
【００８９】
右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００９０】
なお、上述したように、本実施の形態では、照明光周波数検出回路４８において検出される照明周波数にもとづき、３Ｄ画像信号のフィールド周波数に変更を加え、タイミング信号出力部４６からシャッタ眼鏡５０に供給されるシャッタ開閉用タイミング信号に変更を加える。
【００９１】
したがって、例えば、照明光周波数検出回路４８において検出される照明周波数が１００Ｈｚであれば、パネル１０に表示される３Ｄ画像は１００Ｈｚとなり、タイミング信号出力部４６からシャッタ眼鏡５０に供給されるシャッタ開閉用タイミング信号は５０Ｈｚ（あるいはその整数倍）となって、右目用シャッタ５２Ｒおよび左目用シャッタ５２Ｌはそれぞれ１秒間に５０回ずつ開閉動作を繰り返す。
【００９２】
あるいは、照明光周波数検出回路４８において検出される照明周波数が１２０Ｈｚであれば、パネル１０に表示される３Ｄ画像は１２０Ｈｚとなり、タイミング信号出力部４６からシャッタ眼鏡５０に供給されるシャッタ開閉用タイミング信号は６０Ｈｚ（あるいはその整数倍）となって、右目用シャッタ５２Ｒおよび左目用シャッタ５２Ｌはそれぞれ１秒間に６０回ずつ開閉動作を繰り返す。
【００９３】
これにより、本実施の形態では、照明光の明滅周期（照明周波数）と３Ｄ画像信号のフィールド周波数との間に差があり、その結果、シャッタ眼鏡５０におけるシャッタの開閉動作と照明光の明滅周期との間にタイミングのずれが生じるときに、シャッタ眼鏡を使用する使用者に照明フリッカーが発生することを防止している。
【００９４】
次に、パネル１０を駆動するための駆動電圧波形とその動作の概要について説明する。
【００９５】
本実施の形態におけるプラズマディスプレイ装置４０は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００９６】
初期化期間では、放電セルに初期化放電を発生し、続く書込み期間における書込み放電に必要な壁電荷を各電極上に形成する初期化動作を行う。
【００９７】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する書込み動作を行う。
【００９８】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。
【００９９】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【０１００】
また、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【０１０１】
こうして、画像信号に応じた組み合わせでサブフィールド毎に各放電セルの発光・非発光を制御して各サブフィールドを選択的に発光することにより、様々な階調を表示し、画像をパネル１０に表示することができる。
【０１０２】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。
【０１０３】
全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い、他のサブフィールドの初期化期間においては選択初期化動作を行う。以下、全セル初期化動作を行う初期化期間を「全セル初期化期間」と記し、全セル初期化期間を有するサブフィールドを「全セル初期化サブフィールド」と記す。また、選択初期化動作を行う初期化期間を「選択初期化期間」と記し、選択初期化期間を有するサブフィールドを「選択初期化サブフィールド」と記す。
【０１０４】
そして、本実施の形態では、各フィールドの先頭サブフィールド（フィールドの最初に発生するサブフィールド）のみを全セル初期化サブフィールドとする。すなわち、先頭サブフィールド（サブフィールドＳＦ１）の初期化期間では全セル初期化動作を行い、他のサブフィールドの初期化期間では選択初期化動作を行う。これにより、少なくとも１フィールドに１回は全ての放電セルに初期化放電を発生することができ、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【０１０５】
なお、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【０１０６】
なお、本実施の形態において、プラズマディスプレイ装置４０に入力される画像信号は、２Ｄ画像信号、または３Ｄ画像信号であり、プラズマディスプレイ装置４０は、それぞれの画像信号に応じてパネル１０を駆動する。まず、２Ｄ画像信号がプラズマディスプレイ装置４０に入力されたときにパネル１０の各電極に印加する駆動電圧波形を説明する。次に、３Ｄ画像信号がプラズマディスプレイ装置４０に入力されたときにパネル１０の各電極に印加する駆動電圧波形を説明する。
【０１０７】
図４は、本発明の実施の形態１におけるプラズマディスプレイ装置に用いるパネル１０の各電極に印加する駆動電圧波形を概略的に示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【０１０８】
また、図４には、サブフィールドＳＦ１とサブフィールドＳＦ２との２つのサブフィールドの駆動電圧波形を示している。サブフィールドＳＦ１は全セル初期化動作を行うサブフィールドであり、サブフィールドＳＦ２は選択初期化動作を行うサブフィールドである。したがって、サブフィールドＳＦ１とサブフィールドＳＦ２とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２の駆動電圧波形とほぼ同様である。
【０１０９】
なお、本実施の形態におけるプラズマディスプレイ装置４０は、２Ｄ画像信号によってパネル１０を駆動する際には、１フィールドを８のサブフィールド（サブフィールドＳＦ１、サブフィールドＳＦ２、サブフィールドＳＦ３、サブフィールドＳＦ４、サブフィールドＳＦ５、サブフィールドＳＦ６、サブフィールドＳＦ７、サブフィールドＳＦ８）で構成し、サブフィールドＳＦ１〜サブフィールドＳＦ８の各サブフィールドにそれぞれ（１、２、４、８、１６、３２、６４、１２８）の輝度重みを設定する例を説明する。
【０１１０】
このように、本実施の形態では、２Ｄ画像信号によってパネル１０を駆動する際には、フィールドの最初に発生するサブフィールドＳＦ１を輝度重みの最も小さいサブフィールドとし、それ以降は輝度重みが順次大きくなるように各サブフィールドに輝度重みを設定し、フィールドの最後に発生するサブフィールドＳＦ８を輝度重みの最も大きいサブフィールドとする。
【０１１１】
なお、本実施の形態は、１フィールドを構成するサブフィールドの数や各サブフィールドの輝度重みが上記の値に限定されるものではない。
【０１１２】
まず、全セル初期化サブフィールドであるサブフィールドＳＦ１について説明する。
【０１１３】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに（例えば、１．３Ｖ／μｓｅｃの勾配で）上昇する上り傾斜波形電圧（以下、「ランプ電圧Ｌ１」と記す）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【０１１４】
このランプ電圧Ｌ１が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。
【０１１５】
この電極上の壁電圧とは、電極を覆う誘電体層上、保護層上、蛍光体層上等に蓄積された壁電荷により生じる電圧を表す。
【０１１６】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに（例えば、−２．５Ｖ／μｓｅｃの勾配で）下降する下り傾斜波形電圧（以下、「ランプ電圧Ｌ２」と記す）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【０１１７】
このランプ電圧Ｌ２を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【０１１８】
以上により、サブフィールドＳＦ１の初期化期間における初期化動作、すなわち、全ての放電セルで初期化放電を発生する全セル初期化動作が終了し、全ての放電セルにおいて、続く書込み動作に必要な壁電荷が各電極上に形成される。
【０１１９】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃ（Ｖｃ＝Ｖａ＋Ｖｓｃｎ）を印加する。
【０１２０】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルに対応するデータ電極Ｄｋに正の電圧Ｖｄの正極性の書込みパルスを印加する。
【０１２１】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【０１２２】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【０１２３】
これにより、データ電極Ｄｋと走査電極ＳＣ１との間に発生する放電を引き金にして、データ電極Ｄｋと交差する領域にある維持電極ＳＵ１と走査電極ＳＣ１との間に放電が発生する。こうして、走査パルスと書込みパルスとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【０１２４】
このようにして、１行目の放電セルにおける書込み動作が終了する。なお、書込みパルスを印加しなかったデータ電極３２と走査電極ＳＣ１との交差部の電圧は放電開始電圧を超えないので、書込み放電は発生しない。
【０１２５】
次に、２行目の走査電極ＳＣ２に走査パルスを印加するとともに、２行目に発光するべき放電セルに対応するデータ電極Ｄｋに書込みパルスを印加し、２行目の放電セルにおける書込み動作を行う。
【０１２６】
以上の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【０１２７】
続くサブフィールドＳＦ１の維持期間では、まず維持電極ＳＵ１〜維持電極ＳＵｎにベース電位となる電圧０（Ｖ）を印加するとともに走査電極ＳＣ１〜走査電極ＳＣｎに正の電圧Ｖｓの維持パルスを印加する。
【０１２８】
この維持パルスの印加により、書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【０１２９】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【０１３０】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【０１３１】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【０１３２】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｅｒｓに向かって緩やかに（例えば、約１０Ｖ／μｓｅｃの勾配で）上昇する傾斜波形電圧（以下、「消去ランプ電圧Ｌ３」と記す）を走査電極ＳＣ１〜走査電極ＳＣｎに印加する。
【０１３３】
走査電極ＳＣ１〜走査電極ＳＣｎへ印加する消去ランプ電圧Ｌ３が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【０１３４】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１３５】
以上により、サブフィールドＳＦ１が終了する。
【０１３６】
選択初期化動作を行うサブフィールドＳＦ２の初期化期間では、サブフィールドＳＦ１における初期化期間の前半部を省略した駆動電圧波形を各電極に印加する選択初期化動作を行う。
【０１３７】
サブフィールドＳＦ２の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から負の電圧Ｖｉ４に向かってランプ電圧Ｌ２と同じ勾配（例えば、約−２．５Ｖ／μｓｅｃ）で下降する傾斜波形電圧（以下、「ランプ電圧Ｌ４」と記す）を印加する。電圧Ｖｉ４は、維持電極ＳＵ１〜維持電極ＳＵｎに対して放電開始電圧を超える電圧に設定する。
【０１３８】
このランプ電圧Ｌ４を走査電極ＳＣ１〜走査電極ＳＣｎに印加する間に、直前のサブフィールド（図４では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正の壁電圧が蓄積されているので、この壁電圧の過剰な部分が放電され、データ電極Ｄｋ上の壁電圧は書込み動作に適した壁電圧に調整される。
【０１３９】
一方、直前のサブフィールド（サブフィールドＳＦ１）の維持期間に維持放電を発生しなかった放電セルでは、初期化放電は発生せず、それ以前の壁電圧が保たれる。
【０１４０】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【０１４１】
以上により、サブフィールドＳＦ２の初期化期間における初期化動作、すなわち、選択初期化動作が終了する。
【０１４２】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【０１４３】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【０１４４】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１４５】
以上が、本実施の形態においてパネル１０の各電極に印加する駆動電圧波形の概要である。
【０１４６】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｓ＝１９０（Ｖ）、電圧Ｖｅｒｓ＝１９０（Ｖ）、電圧Ｖｅ１＝１２５（Ｖ）、電圧Ｖｅ２＝１３０（Ｖ）、電圧Ｖｄ＝６０（Ｖ）に設定している。また、電圧Ｖｃは、負の電圧Ｖａ＝−１８０（Ｖ）に正の電圧Ｖｓｃｎ＝１４５（Ｖ）を重畳する（Ｖｃ＝Ｖａ＋Ｖｓｃｎ）ことで発生することができ、その場合、電圧Ｖｃ＝−３５（Ｖ）となる。
【０１４７】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１４８】
次に、３Ｄ画像信号がプラズマディスプレイ装置４０に入力されたときにパネル１０の各電極に印加する駆動電圧波形を、シャッタ眼鏡５０におけるシャッタの開閉動作を交えて説明する。
【０１４９】
図５は、本発明の実施の形態１におけるプラズマディスプレイ装置４０に用いるパネル１０の各電極に印加する駆動電圧波形およびシャッタ眼鏡５０のシャッタ開閉動作を概略的に示す波形図である。
【０１５０】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図５には、右目用シャッタ５２Ｒおよび左目用シャッタ５２Ｌの開閉動作を示す。
【０１５１】
３Ｄ画像信号は、右目用画像信号と左目用画像信号とをフィールド毎に交互に繰り返す立体視用の画像信号である。そして、プラズマディスプレイ装置４０は、３Ｄ画像信号が入力されたときには、右目用画像信号を表示する右目用フィールドと、左目用画像信号を表示する左目用フィールドとを交互に繰り返して右目用画像と左目用画像とを交互にパネル１０に表示する。例えば、図５に示す３つのフィールド（フィールドＦ１〜フィールドＦ３）のうち、フィールドＦ１、フィールドＦ３は右目用フィールドであり、右目用画像信号をパネル１０に表示する。フィールドＦ２は左目用フィールドであり、左目用画像信号をパネル１０に表示する。こうして、プラズマディスプレイ装置４０は、右目用画像および左目用画像からなる立体視用の３Ｄ画像をパネル１０に表示する。
【０１５２】
シャッタ眼鏡５０を通してパネル１０に表示される３Ｄ画像を観賞する使用者には、２フィールドで表示される画像（右目用画像および左目用画像）が１枚の３Ｄ画像として認識される。そのため、使用者には、単位時間（例えば、１秒間）にパネル１０に表示される３Ｄ画像の枚数は、フィールド周波数（映像周波数）の半分の数として観測される。
【０１５３】
例えば、パネルに表示される３Ｄ画像信号のフィールド周波数が６０Ｈｚであれば、１秒間にパネル１０に表示される右目用画像および左目用画像はそれぞれ３０枚ずつとなるため、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。
【０１５４】
このように、３Ｄ画像信号のフィールド周波数は、使用者に３Ｄ画像の動画像が滑らかに観測されるように通常の２倍（例えば、１２０Ｈｚ）に設定されており、これにより、フィールド周波数が低い画像を表示する際に発生しやすい画像のちらつき（フリッカー）を低減している。
【０１５５】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【０１５６】
なお、右目用フィールドと左目用フィールドとは、表示する画像信号が異なるだけであり、１つのフィールドを構成するサブフィールドの数、各サブフィールドの輝度重み、サブフィールドの配列等、フィールドの構成は互いに同じである。そこで、以下、「右目用」と「左目用」との区別が必要ない場合には、右目用フィールドおよび左目用フィールドを単にフィールドと略記する。また、右目用画像信号および左目用画像信号を単に画像信号と略記する。また、右目用画像信号および左目用画像信号を単に画像信号と略記する。また、フィールドの構成のことを、サブフィールド構成とも記す。
【０１５７】
上述したように、本実施の形態におけるプラズマディスプレイ装置４０は、３Ｄ画像信号によってパネル１０を駆動する際に、フリッカー（表示画像がちらついて見える現象のこと）を低減するために、フィールド周波数を、２Ｄ画像信号をパネル１０に表示するときの２倍（例えば、１２０Ｈｚ）にしている。そのため、３Ｄ画像信号をパネル１０に表示する際の１フィールドの期間（例えば、８．３ｍｓｅｃ）は、２Ｄ画像信号をパネル１０に表示する際の１フィールドの期間（例えば、１６．７ｍｓｅｃ）の半分となる。
【０１５８】
そこで、本実施の形態におけるプラズマディスプレイ装置４０は、３Ｄ画像信号によってパネル１０を駆動する際には、２Ｄ画像信号によってパネル１０を駆動する際よりも、１フィールドを構成するサブフィールドの数を少なくする。本実施の形態では、右目用フィールドおよび左目用フィールドをそれぞれ６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成する例を説明する。各サブフィールドは、２Ｄ画像信号によってパネル１０を駆動するときと同様に、初期化期間、書込み期間、維持期間を有する。そして、サブフィールドＳＦ１の初期化期間では全セル初期化動作を行い、他のサブフィールドの初期化期間では選択初期化動作を行う。
【０１５９】
また、サブフィールドＳＦ１〜サブフィールドＳＦ６の各サブフィールドはそれぞれ（１、１６、８、４、２、１）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【０１６０】
これは、フィールドの初期に輝度重みが比較的大きいサブフィールドを発生し、次フィールドへの残光の漏れ込みをできるだけ低減して、３Ｄ画像信号をパネル１０に表示する際のクロストークを抑制するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図るためである。このクロストークとは、右目用画像から左目用画像への発光の漏れ込み、および左目用画像から右目用画像への発光の漏れ込みのことである。
【０１６１】
なお、本実施の形態は、１フィールドを構成するサブフィールドの数や各サブフィールドの輝度重みが上記の値に限定されるものではない。
【０１６２】
なお、各サブフィールドにおいて各電極に印加する駆動電圧波形は、維持期間に発生する維持パルス数が異なる以外は２Ｄ画像信号をパネル１０に表示するときと同様であるので、説明を省略する。
【０１６３】
シャッタ眼鏡５０の右目用シャッタ５２Ｒおよび左目用シャッタ５２Ｌは、タイミング信号出力部４６から出力されシャッタ眼鏡５０で受信されるシャッタ開閉用タイミング信号（右目シャッタ開閉用タイミング信号および左目シャッタ開閉用タイミング信号）のオン・オフにもとづき、シャッタの開閉動作が制御される。
【０１６４】
そして、制御信号発生回路４５は、プラズマディスプレイ装置４０の駆動回路が３Ｄ駆動を行っているときは、右目用フィールドがパネル１０に表示されている期間は、右目用シャッタ５２Ｒが開くとともに左目用シャッタ５２Ｌが閉じるようにシャッタ開閉用タイミング信号を発生し、左目用フィールドがパネル１０に表示されている期間は、左目用シャッタ５２Ｌが開くとともに右目用シャッタ５２Ｒが閉じるようにシャッタ開閉用タイミング信号を発生する。
【０１６５】
次に、シャッタ眼鏡５０におけるシャッタ開閉動作と照明光の明滅周期との間にタイミングのずれがあるとき（互いに同期していないとき）に生じる照明フリッカーについて説明する。
【０１６６】
図６は、プラズマディスプレイ装置４０が設置された環境下を照明する照明器具における照明光の明滅とシャッタ眼鏡５０におけるシャッタ開閉動作の一例を概略的に示す波形図である。
【０１６７】
図７は、プラズマディスプレイ装置４０が設置された環境下を照明する照明器具における照明光の明滅とシャッタ眼鏡５０におけるシャッタ開閉動作の他の一例を概略的に示す波形図である。
【０１６８】
図６、図７には、照明器具が発生する照明光の明るさの変化を概略的に示す波形と、右目用シャッタ５２Ｒおよび左目用シャッタ５２Ｌの開閉動作を示す。なお、図６、図７において、横軸は時間を表す（横軸そのものは図示せず）。
【０１６９】
図６には、プラズマディスプレイ装置４０を照明する照明器具に供給される交流電源の周波数が６０Ｈｚであり、その照明器具が交流電源の周波数の２倍の周期で明滅を繰り返す場合を示す。したがって、その照明器具の照明周波数は１２０Ｈｚとなり、その照明器具は、照度が高い状態（明るい状態）と照度が低い状態（暗い状態）とを１秒間に１２０回繰り返す。
【０１７０】
このとき、例えば、プラズマディスプレイ装置４０にフィールド周波数（映像周波数）が１２０Ｈｚの３Ｄ画像を表示すると、シャッタ眼鏡５０の右目用シャッタ５２Ｒおよび左目用シャッタ５２Ｌはそれぞれ１秒間に６０回の開閉動作を繰り返す。
【０１７１】
この条件下では、照明光の明滅周期（照明周波数）とシャッタ眼鏡５０におけるシャッタ開閉動作は、互いにタイミングがほぼ合った状態（同期が取れた状態）となる。したがって、図６に示すように、照明光の明るさの変化は、シャッタが開いているときの各期間でほぼ等しく、例えば、図６に示すように、期間Ｔ１１、期間Ｔ１２、期間Ｔ１３、期間Ｔ１４で、照明光の明るさの変化は互いにほぼ等しい。
【０１７２】
パネル１０に表示される３Ｄ画像を、シャッタ眼鏡５０を通して鑑賞する使用者の眼には、照明光もシャッタ眼鏡５０を通して届く。
【０１７３】
したがって、上述の条件下では、シャッタ眼鏡５０を通して使用者の眼に入る照明光の明るさの変化は、シャッタ眼鏡５０のシャッタが開いているときの各期間でほぼ等しくなる。そのため、使用者には照明光の明るさに関して時間的な変化は感じられず、照明光に関して特に違和感を感じることはないであろうと考えられる。
【０１７４】
一方、図７には、プラズマディスプレイ装置４０を照明する照明器具に供給される交流電源の周波数が５０Ｈｚであり、その照明器具が交流電源の周波数の２倍の周期で明滅を繰り返す場合を示す。したがって、その照明器具の照明周波数は１００Ｈｚとなり、その照明器具は、照度が高い状態（明るい状態）と照度が低い状態（暗い状態）とを１秒間に１００回繰り返すことになる。
【０１７５】
ことき、上述と同様に、プラズマディスプレイ装置４０にフィールド周波数（映像周波数）が１２０Ｈｚの３Ｄ画像を表示すると、シャッタ眼鏡５０の右目用シャッタ５２Ｒおよび左目用シャッタ５２Ｌはそれぞれ１秒間に６０回の開閉動作を繰り返す。
【０１７６】
この条件下では、照明光の明滅周期（照明周波数）とシャッタ眼鏡５０におけるシャッタ開閉動作は、互いにタイミングがずれた状態となる。したがって、図７に示すように、照明光の明るさの変化は、シャッタが開いているときの各期間で互いに異なることになる。
【０１７７】
例えば、図７に示すように、左目用シャッタ５２Ｌが開いている期間Ｔ２１と期間Ｔ２３とを比較すると、左目用シャッタ５２Ｌを通して使用者の左眼に届く照明光の明るさは、期間Ｔ２３よりも期間Ｔ２１の方がやや明るい。同様に、右目用シャッタ５２Ｒが開いている期間Ｔ２２と期間Ｔ２４とを比較すると、右目用シャッタ５２Ｒを通して使用者の右眼に届く照明光の明るさは、期間Ｔ２４よりも期間Ｔ２２の方が明るい。
【０１７８】
シャッタが開いているときに使用者の眼に届く照明光の明るさが時間的に変化すると、使用者には、照明光の明るさが時間的に変化しているように感じられる。このようにして照明フリッカーが発生する。
【０１７９】
このように、シャッタ眼鏡５０を通してパネル１０に表示される３Ｄ画像を鑑賞する使用者には、照明周波数と３Ｄ画像信号のフィールド周波数が互いに等しいとき（例えば、照明周波数と３Ｄ画像信号のフィールド周波数とがともに１２０Ｈｚであるとき、あるいは、照明周波数と３Ｄ画像信号のフィールド周波数とがともに１００Ｈｚであるとき）には照明光に関して特に違和感を感じることはなく、照明周波数と３Ｄ画像信号のフィールド周波数が互いに異なるとき（例えば、照明周波数が１００Ｈｚであり３Ｄ画像信号のフィールド周波数が１２０Ｈｚであるとき、あるいは、照明周波数が１２０Ｈｚであり３Ｄ画像信号のフィールド周波数が１００Ｈｚであるとき）には、照明光のちらつきが感じられ、照明フリッカーが発生すると考えられる。
【０１８０】
そこで、本実施の形態におけるプラズマディスプレイシステムにおいては、この照明フリッカーの発生を防止することを目的に、３Ｄ画像信号のフィールド周波数を照明周波数に応じて変更する。例えば、照明周波数が１００Ｈｚであり３Ｄ画像信号のフィールド周波数が１２０Ｈｚであれば、３Ｄ画像信号のフィールド周波数を１００Ｈｚに変更し、照明周波数が１２０Ｈｚであり３Ｄ画像信号のフィールド周波数が１００Ｈｚであれば、３Ｄ画像信号のフィールド周波数を１２０Ｈｚに変更する。
【０１８１】
このように、本実施の形態では、照明周波数と３Ｄ画像信号のフィールド周波数とが互いに異なるときに、３Ｄ画像信号のフィールド周波数と照明周波数とが互いに等しくなるように３Ｄ画像信号のフィールド周波数を変更することで、照明光が明滅する周期に右目用シャッタ５２Ｒおよび左目用シャッタ５２Ｌの開閉動作のタイミングを合わせて互いに同期がとれた状態にし、シャッタ眼鏡５０を通して３Ｄ画像を鑑賞する使用者に、照明フリッカーが発生することを防止する。
【０１８２】
次に、照度検出回路４７、照明光周波数検出回路４８、映像周波数変換回路４９の詳細について説明する。
【０１８３】
図８は、本発明の実施の形態１における照度検出回路４７の回路ブロックを概略的に示す図である。
【０１８４】
照度検出回路４７は、光検出部７１および電圧変換部７２を有する。
【０１８５】
光検出部７１は、光の強さ（照度）に応じて抵抗値または発生電流が変化する素子で構成され、プラズマディスプレイ装置４０の周囲の明るさ（照度）を検出する。このような素子としては、例えば、フォトレジスタ、フォトダイオード、フォトトランジスタ、太陽電池等がある。
【０１８６】
電圧変換部７２は、光検出部７１における検出結果を電圧に変換する。この電圧は、照度検出回路４７における照度検出結果を表す信号として、後段の映像周波数変換回路４９に供給される。
【０１８７】
図９は、本発明の実施の形態１における照明光周波数検出回路４８の回路ブロックを概略的に示す図である。
【０１８８】
照明光周波数検出回路４８は、光検出部８１、電圧変換部８２、および周波数検出部８３を有する。
【０１８９】
光検出部８１は、光検出部７１と同様の構成、動作であり、プラズマディスプレイ装置４０の周囲の照度を検出する。なお、光検出部８１は、照明器具が発生する照明光の明滅を検出することを目的としており、例えば、照明光の明滅が２４０Ｈｚ程度までであれば検出できる程度の応答速度を有するものとする。
【０１９０】
電圧変換部８２は、光検出部８１における検出結果を電圧に変換する。
【０１９１】
周波数検出部８３は、電圧変換部８２から出力される電圧の時間的な変化を検出し、その検出結果を周波数を表す信号に変換して出力する。この信号は、照明光周波数検出回路４８における検出結果、すなわち照明周波数として、後段の映像周波数変換回路４９に供給される。
【０１９２】
なお、光検出部８１および電圧変換部８２を、光検出部７１および電圧変換部７２によって代用する構成としてもよい。
【０１９３】
図１０は、本発明の実施の形態１における映像周波数変換回路４９の回路ブロックを概略的に示す図である。
【０１９４】
映像周波数変換回路４９は、記憶装置６１、記憶装置６２、ベクトル検出部６３、平均照度検出部６４、比較部６５、周波数変換部６６を有する。
【０１９５】
記憶装置６１は、例えば、読み出し・書込みを任意に行うことができる一般に用いられている半導体記憶装置（ＤＲＡＭ等）で構成され、映像周波数変換回路４９に入力される画像信号を時間的に遅延して出力する。この遅延は、３Ｄ画像信号のフィールド周波数を変更するときの、後段の回路ブロックにおける時間調整のために行われる。
【０１９６】
記憶装置６２は、例えば、読み出し・書込みを任意に行うことができる一般に用いられている半導体記憶装置（ＤＲＡＭ等）で構成され、映像周波数変換回路４９に入力される画像信号を時間的に遅延して出力する。この遅延時間は、記憶装置６１における遅延時間に２フィールド期間の時間を加えた時間に等しい。したがって、記憶装置６２は、記憶装置６１から出力される画像信号に対して２フィールドだけ時間的に遅れた画像信号を出力する。これにより、記憶装置６１が右目用フィールドの画像信号を出力するときは、記憶装置６２はその右目用フィールドの直前の右目用フィールドの画像信号を出力し、記憶装置６１が左目用フィールドの画像信号を出力するときは、記憶装置６２はその左目用フィールドの直前の左目用フィールドの画像信号を出力する。
【０１９７】
ベクトル検出部６３は、記憶装置６１から出力される画像信号と、記憶装置６２から出力される画像信号とを用い、動画像領域のベクトル検出を行う。このベクトル検出は、例えば、画像信号処理方法の一つとして一般に知られているパターンマッチングにより行う。すなわち、記憶装置６１から出力される画像信号と、記憶装置６２から出力される画像信号とを互いに比較することで、時間的に連続する２枚の画像を互いに比較し、動画像領域を検出するとともに、どの動画像領域がどの方向にどれだけ移動するのかを検出する。なお、この時間的に連続する２枚の画像とは、時間的に連続する２枚の右目用画像のことであり、時間的に連続する２枚の左目用画像のことであって、時間的に連続する２つのフィールドのことではない。
【０１９８】
平均照度検出部６４は、照度検出回路４７における検出結果を用い、所定の時間の照度の平均値を平均照度として算出する。この所定の時間は、例えば１０秒間である。しかし、本実施の形態において、平均照度を算出する際の時間の長さは、何ら１０秒間に限定されるものではなく、１０秒未満であってもよく、あるいは１０秒以上であってもよい。平均照度を算出する際の時間は、プラズマディスプレイ装置４０の仕様等に応じて最適に設定することが望ましい。
【０１９９】
比較部６５は、平均照度検出部６４において検出された平均照度と、あらかじめ設定された平均照度しきい値とを比較し、平均照度が平均照度しきい値未満かどうかを判断して、その判断結果を出力する。なお、本実施の形態において、この平均照度しきい値は、例えば３０ｌｘ（ルクス）に相当する数値である。しかし、この３０ｌｘという数値は単なる一数値例に過ぎず、本実施の形態において、平均照度しきい値は何らこの数値に限定されるものではない。平均照度しきい値は、プラズマディスプレイ装置４０の仕様等に応じて最適に設定することが望ましい。
【０２００】
周波数変換部６６は、制御信号発生回路４５から送られてくる垂直同期信号、および入力画像信号が２Ｄ画像信号か３Ｄ画像信号かを判別した結果を表す信号（以下、「２Ｄ／３Ｄ判別結果」と記す）と、照明光周波数検出回路４８における検出結果、すなわち照明周波数と、比較部６５における比較結果とにもとづき、３Ｄ画像信号のフィールド周波数を変更する。フィールド周波数の変更は、ベクトル検出部６３における検出結果と、記憶装置６１から出力される画像信号と、記憶装置６２から出力される画像信号とを用い、時間的に連続する２枚の画像から補間画像を作成することで行う。補間画像とは、時間的に連続する２枚の画像の間に位置する画像のことであり、単位時間（例えば、1秒間）の画像の数を変更するときに発生する画像のことである。
【０２０１】
具体的には、周波数変換部６６は、制御信号発生回路４５から送られてくる垂直同期信号にもとづきフィールド周波数を判別するとともに、２Ｄ／３Ｄ判別結果にもとづき画像信号が２Ｄ画像信号か３Ｄ画像信号かを判別する。そして、画像信号が３Ｄ画像信号であるときには、照明周波数と画像信号のフィールド周波数とを互いに比較する。そして、画像信号が３Ｄ画像信号であり、照明周波数と画像信号のフィールド周波数が互いに異なるときには、フィールド周波数と照明周波数とが互いに等しくなるように、画像信号のフィールド周波数を変更する。あわせて、垂直同期信号の周波数も変更する。例えば、照明周波数が１００Ｈｚであり画像信号のフィールド周波数が１２０Ｈｚであるときには、周波数変換部６６はフィールド周波数を１２０Ｈｚから１００Ｈｚに変更した３Ｄ画像信号を発生し、垂直同期信号の周波数も１２０Ｈｚから１００Ｈｚに変更する。照明周波数が１２０Ｈｚであり画像信号のフィールド周波数が１００Ｈｚであるときには、周波数変換部６６はフィールド周波数を１００Ｈｚから１２０Ｈｚに変更した３Ｄ画像信号を発生し、垂直同期信号の周波数も１００Ｈｚから１２０Ｈｚに変更する。
【０２０２】
ただし、周波数変換部６６は、画像信号が２Ｄ画像信号であるとき、および照明周波数と３Ｄ画像信号のフィールド周波数が互いに等しいときには、フィールド周波数の変更を行わない。また、周波数変換部６６は、照明周波数と３Ｄ画像信号のフィールド周波数が互いに異なるときであっても、比較部６５における比較結果にもとづき、平均照度が平均照度しきい値未満であれば、フィールド周波数の変更を行わない。これは、照明フリッカーが発生する条件が揃っていても、照明光が十分に暗ければ、使用者に照明フリッカーが認識されにくいためである。したがって、平均照度しきい値を設定するときは、照明フリッカーが発生する条件下で、使用者が照明フリッカーを感じるかどうかを基準にして定めることが望ましい。
【０２０３】
次に、周波数変換部６６において、フィールド周波数が１２０Ｈｚの３Ｄ画像信号を１００Ｈｚに変更するときの一例を図面を用いて説明する。
【０２０４】
図１１は、本発明の実施の形態１における周波数変換部６６においてフィールド周波数が１２０Ｈｚの３Ｄ画像信号をフィールド周波数が１００Ｈｚの３Ｄ画像信号に変更するときの例を概略的に示す図である。
【０２０５】
フィールド周波数が１２０Ｈｚの３Ｄ画像信号をフィールド周波数１００Ｈｚに変更するときには、１２枚の画像（１２フィールド）を、１０枚の画像（１０フィールド）に変換する。したがって、図１１には、フィールドＦ１−１からフィールドＦ１−１２までの１２枚の画像をフィールドＦ１’−１からフィールドＦ１’−１０までの１０枚の画像に変換する例を示す。すなわち、図１１に示す例では、６枚の３Ｄ画像を５枚の３Ｄ画像に変換する。
【０２０６】
なお、図１１に示すフィールドＦ１−１は右目用画像Ａ−１（以下、「右Ａ−１」と記す）であり、フィールドＦ１−２は左目用画像Ａ−１（以下、「左Ａ−１」と記す）であり、フィールドＦ１−３は右目用画像Ｂ−１（以下、「右Ｂ−１」と記す）であり、フィールドＦ１−４は左目用画像Ｂ−１（以下、「左Ｂ−１」と記す）であり、フィールドＦ１−５は右目用画像Ｃ−１（以下、「右Ｃ−１」と記す）であり、フィールドＦ１−６は左目用画像Ｃ−１（以下、「左Ｃ−１」と記す）であり、フィールドＦ１−７は右目用画像Ｄ−１（以下、「右Ｄ−１」と記す）であり、フィールドＦ１−８は左目用画像Ｄ−１（以下、「左Ｄ−１」と記す）であり、フィールドＦ１−９は右目用画像Ｅ−１（以下、「右Ｅ−１」と記す）であり、フィールドＦ１−１０は左目用画像Ｅ−１（以下、「左Ｅ−１」と記す）であり、フィールドＦ１−１１は右目用画像Ｆ−１（以下、「右Ｆ−１」と記す）であり、フィールドＦ１−１２は左目用画像Ｆ−１（以下、「左Ｆ−１」と記す）である。
【０２０７】
そして、本実施の形態における周波数変換部６６は、周波数変換後の右目用画像Ａ’−１（右Ａ’−１）から右目用画像Ｅ’−１（右Ｅ’−１）までの５枚の右目用画像および周波数変換後の左目用画像Ａ’−１（左Ａ’−１）から左目用画像Ｅ’−１（左Ｅ’−１）までの５枚の左目用画像を、下記の式にもとづき作成する。なお、以下のｋ１１からｋ１８までの各係数は、補間画像を作成する際の重み付け係数である。
右Ａ’−１＝右Ａ−１
右Ｂ’−１＝ｋ１１×右Ｂ−１＋ｋ１２×右Ｃ−１
右Ｃ’−１＝ｋ１３×右Ｃ−１＋ｋ１４×右Ｄ−１
右Ｄ’−１＝ｋ１５×右Ｄ−１＋ｋ１６×右Ｅ−１
右Ｅ’−１＝ｋ１７×右Ｅ−１＋ｋ１８×右Ｆ−１
左Ａ’−１＝左Ａ−１
左Ｂ’−１＝ｋ１１×左Ｂ−１＋ｋ１２×左Ｃ−１
左Ｃ’−１＝ｋ１３×左Ｃ−１＋ｋ１４×左Ｄ−１
左Ｄ’−１＝ｋ１５×左Ｄ−１＋ｋ１６×左Ｅ−１
左Ｅ’−１＝ｋ１７×左Ｅ−１＋ｋ１８×左Ｆ−１
次に、ｋ１１からｋ１８までの各重み付け係数について図面を用いて説明する。
【０２０８】
図１２は、本発明の実施の形態１における周波数変換部６６においてフィールド周波数１２０Ｈｚの３Ｄ画像信号をフィールド周波数１００Ｈｚの３Ｄ画像信号に変更するときの重み付け計数の一設定例を概略的に示す図である。
【０２０９】
本実施の形態においては、重み付け計数ｋ１１からｋ１８までの各係数は、２枚の連続する画像とそれらの画像から作成する補間画像との時間的な距離にもとづき設定する。
【０２１０】
例えば、図１２に示すように、フィールドＦ１−１の開始時間を０．００ｔとし、フィールドＦ１−１から１２フィールド後のフィールドＦ２−１の開始時間を１．００ｔとすると、各右目用画像の開始時間は、以下のようになる。
右Ａ−１＝０．００ｔ
右Ｂ−１＝０．１６７ｔ
右Ｃ−１＝０．３３ｔ
右Ｄ−１＝０．５４ｔ
右Ｅ−１＝０．６７ｔ
右Ｆ−１＝０．８３５ｔ
次に、周波数変換後のフィールドＦ１’−１の開始時間を０．００ｔとし、フィールドＦ１’−１から１０フィールド後のフィールドＦ２’−１の開始時間を１．００ｔとする。そうすると、周波数変換後の各右目用画像の開始時間は、以下のようになる。
右Ａ’−１＝０．００ｔ
右Ｂ’−１＝０．２ｔ
右Ｃ’−１＝０．４ｔ
右Ｄ’−１＝０．６ｔ
右Ｅ’−１＝０．８ｔ
以下、右Ｂ’−１を作成する際に用いる重み付け計数ｋ１１およびｋ１２を例に挙げて、重み付け計数の算出方法を説明する。
【０２１１】
周波数変換後の右目用画像である右Ｂ’−１は、周波数変換前の右目用画像である右Ｂ−１および右Ｃ−１から作成する。そして、図１２に示すように、右Ｂ’−１の開始時間は０．２ｔであり、右Ｂ−１の開始時間は０．１６７ｔであり、右Ｃ−１の開始時間は０．３３ｔである。したがって、右Ｃ−１の開始時間と右Ｂ’−１の開始時間との差は（０．３３ｔ−０．２ｔ）であり、右Ｂ’−１の開始時間と右Ｂ−１の開始時間との差は（０．２ｔ−０．１６７ｔ）である。したがって、右Ｂ’−１を作成する際に用いる重み付け計数ｋ１１とｋ１２は以下の式のように設定する。
ｋ１１：ｋ１２＝（０．３３ｔ−０．２ｔ）：（０．２ｔ−０．１６７ｔ）
＝０．１３ｔ：０．０３３ｔ
＝３．９４：１
これと同様にして他の重み付け計数を設定すると、以下の様になる。
ｋ１３：ｋ１４＝２：１
ｋ１５：ｋ１６＝１．１７：１
ｋ１７：ｋ１８＝１：３．７
左目用の補間画像を作成する際の各重み付け計数も、これと同様にして設定する。
【０２１２】
本実施の形態では、このようにして、各重み付け計数を設定する。
【０２１３】
次に、フィールドＦ１−３（右Ｂ−１）とフィールドＦ１−５（右Ｃ−１）とから補間画像であるフィールドＦ１’−３（右Ｂ’−１）を作成するときの例を挙げて、重み付け計数にもとづき補間画像を作成する方法を説明する。
【０２１４】
図１３は、本発明の実施の形態１における周波数変換部６６において２枚の連続する右目用画像から１枚の右目用補間画像を作成するときの動作の一例を概略的に示す図である。
【０２１５】
図１３において、図面９０はフィールドＦ１−３（右Ｂ−１）の一例を概略的に示した図面であり、図面９１はフィールドＦ１−５（右Ｃ−１）の一例を概略的に示した図面である。図１３には、右Ｂ−１で画面の左上に表示されたボールが、右Ｃ−１では画面の右下に移動する例を示す。また、図面９２は、フィールドＦ１−３とフィールドＦ１−５とから補間画像を作成する際の演算の一例を概略的に示した図面であり、図面９３はフィールドＦ１−３とフィールドＦ１−５とから作成された補間画像フィールドＦ１’−３（右Ｂ’−１）の一例を概略的に示した図面である。
【０２１６】
上述したように、本実施の形態において、補間画像である右Ｂ’−１は以下の式で表される。
右Ｂ’−１＝ｋ１１×右Ｂ−１＋ｋ１２×右Ｃ−１
例えば、重み付け計数ｋ１１とｋ１２とが、上述したように
ｋ１１：ｋ１２＝３．９４：１
であれば、補間画像を作成する際の右Ｂ−１の重み付けは３．９４であり、右Ｃ−１の重み付けは１である。したがって、図面９０および図面９１に示すように、２枚の連続する画像でボールの移動が生じる場合、そのボールの移動を示すベクトルを１：３．９４に分け、右Ｂ−１のボールの位置から１、右Ｃ−１のボールの位置から３．９４になる場所にボールが位置する画像を作成する。このようにして、図面９３に示す補間画像右Ｂ’−１を作成する。
【０２１７】
他の補間画像も、上述した式および重み付け計数にもとづき、これと同様にして作成する。
【０２１８】
次に、周波数変換部６６において、フィールド周波数が１００Ｈｚの３Ｄ画像信号を１２０Ｈｚに変更するときの例を図面を用いて説明する。
【０２１９】
図１４は、本発明の実施の形態１における周波数変換部６６においてフィールド周波数が１００Ｈｚの３Ｄ画像信号をフィールド周波数が１２０Ｈｚの３Ｄ画像信号に変更するときの例を概略的に示す図である。
【０２２０】
フィールド周波数が１００Ｈｚの３Ｄ画像信号をフィールド周波数１２０Ｈｚに変更するときには、１０枚の画像（１０フィールド）を、１２枚の画像（１２フィールド）に変換する。したがって、図１４には、フィールドＦ１−１からフィールドＦ１−１０までの１０枚の画像をフィールドＦ１’−１からフィールドＦ１’−１２までの１２枚の画像に変換する例を示す。すなわち、図１４に示す例では、５枚の３Ｄ画像を６枚の３Ｄ画像に変換する。
【０２２１】
本実施の形態における周波数変換部６６は、周波数変換後の右目用画像Ａ’−１（右Ａ’−１）から右目用画像Ｆ’−１（右Ｆ’−１）までの６枚の右目用画像および周波数変換後の左目用画像Ａ’−１（左Ａ’−１）から左目用画像Ｆ’−１（左Ｆ’−１）までの６枚の左目用画像を、下記の式にもとづき作成する。なお、以下のｋ２１からｋ３０までの各係数は、補間画像を作成する際の重み付け係数である。
右Ａ’−１＝右Ａ−１
右Ｂ’−１＝ｋ２１×右Ａ−１＋ｋ２２×右Ｂ−１
右Ｃ’−１＝ｋ２３×右Ｂ−１＋ｋ２４×右Ｃ−１
右Ｄ’−１＝ｋ２５×右Ｃ−１＋ｋ２６×右Ｄ−１
右Ｅ’−１＝ｋ２７×右Ｄ−１＋ｋ２８×右Ｅ−１
右Ｆ’−１＝ｋ２９×右Ｅ−１＋ｋ３０×右Ａ−２
左Ａ’−１＝左Ａ−１
左Ｂ’−１＝ｋ２１×左Ａ−１＋ｋ２２×左Ｂ−１
左Ｃ’−１＝ｋ２３×左Ｂ−１＋ｋ２４×左Ｃ−１
左Ｄ’−１＝ｋ２５×左Ｃ−１＋ｋ２６×左Ｄ−１
左Ｅ’−１＝ｋ２７×左Ｄ−１＋ｋ２８×左Ｅ−１
左Ｆ’−１＝ｋ２９×左Ｅ−１＋ｋ３０×左Ａ−２
次に、ｋ２１からｋ３０までの各重み付け係数について図面を用いて説明する。
【０２２２】
図１５は、本発明の実施の形態１における周波数変換部６６においてフィールド周波数１００Ｈｚの３Ｄ画像信号をフィールド周波数１２０Ｈｚの３Ｄ画像信号に変更するときの重み付け計数の一設定例を概略的に示す図である。
【０２２３】
本実施の形態においては、重み付け計数ｋ２１からｋ３０までの各係数は、重み付け計数ｋ１１からｋ１８までの各係数と同様に、２枚の連続する画像とそれらの画像から作成する補間画像との時間的な距離にもとづき設定する。
【０２２４】
例えば、図１５に示すように、フィールドＦ１−１の開始時間を０．００ｔとし、フィールドＦ１−１から１０フィールド後のフィールドＦ２−１の開始時間を１．００ｔとすると、各右目用画像の開始時間は、以下のようになる。
右Ａ−１＝０．００ｔ
右Ｂ−１＝０．２ｔ
右Ｃ−１＝０．４ｔ
右Ｄ−１＝０．６ｔ
右Ｅ−１＝０．８ｔ
次に、周波数変換後のフィールドＦ１’−１の開始時間を０．００ｔとし、フィールドＦ１’−１から１２フィールド後のフィールドＦ２’−１の開始時間を１．００ｔとする。そうすると、周波数変換後の各右目用画像の開始時間は、以下のようになる。
右Ａ’−１＝０．００ｔ
右Ｂ’−１＝０．１６７ｔ
右Ｃ’−１＝０．３３ｔ
右Ｄ’−１＝０．５４ｔ
右Ｅ’−１＝０．６７ｔ
右Ｆ’−１＝０．８３５ｔ
以下、右Ｂ’−１を作成する際に用いる重み付け計数ｋ２１およびｋ２２を例に挙げて、重み付け計数の算出方法を説明する。
【０２２５】
周波数変換後の右目用画像である右Ｂ’−１は、周波数変換前の右目用画像である右Ａ−１および右Ｂ−１から作成する。そして、図１５に示すように、右Ｂ’−１の開始時間は０．１６７ｔであり、右Ａ−１の開始時間は０．００ｔであり、右Ｂ−１の開始時間は０．２ｔである。したがって、右Ｂ−１の開始時間と右Ｂ’−１の開始時間との差は（０．２ｔ−０．１６７ｔ）であり、右Ｂ’−１の開始時間と右Ａ−１の開始時間との差は（０．１６７ｔ−０．００ｔ）である。したがって、右Ｂ’−１を作成する際に用いる重み付け計数ｋ２１とｋ２２は以下の式のように設定する。
ｋ２１：ｋ２２＝（０．２ｔ−０．１６７ｔ）：（０．１６７ｔ−０．００ｔ）
＝０．０３３ｔ：０．１６７ｔ
＝１：５．０６
これと同様にして他の重み付け計数を設定すると、以下の様になる。
ｋ２３：ｋ２４＝１：１．８６
ｋ２５：ｋ２６＝１：２．３３
ｋ２７：ｋ２８＝１．８６：１
ｋ２９：ｋ３０＝４．７１：１
左目用の補間画像を作成する際の各重み付け計数も、これと同様にして設定する。
【０２２６】
本実施の形態では、このようにして、各重み付け計数を設定する。
【０２２７】
なお、重み付け計数にもとづき補間画像を作成するときの動作は図１３に示した動作と同様であるので、説明を省略する。
【０２２８】
以上示したように、本実施の形態では、プラズマディスプレイ装置４０が設置された環境下を照明する照明器具における照明周波数を検出するとともに、パネル１０に表示する３Ｄ画像信号のフィールド周波数を検出する。そして、照明周波数と３Ｄ画像信号のフィールド周波数が互いに異なるときには、３Ｄ画像信号のフィールド周波数と照明周波数とが互いに等しくなるように、３Ｄ画像信号のフィールド周波数を変更する。これにより、照明光の明滅周期（照明周波数）と３Ｄ画像信号のフィールド周波数との間に差があるときに、シャッタ眼鏡５０のシャッタ開閉動作を、照明光が明滅する周期とタイミングが合った状態（互いに同期がとれた状態）にする。
【０２２９】
例えば、照明光周波数検出回路４８において検出される照明周波数が１００Ｈｚであれば、パネル１０に表示される３Ｄ画像信号のフィールド周波数を、例えば１２０Ｈｚから１００Ｈｚに変更し、タイミング信号出力部４６からシャッタ眼鏡５０に供給されるシャッタ開閉用タイミング信号を５０Ｈｚ（あるいはその整数倍の周波数）にする。これにより、右目用シャッタ５２Ｒおよび左目用シャッタ５２Ｌはそれぞれ１秒間に５０回ずつ開閉動作を繰り返すようになり、その開閉動作は、照明光が明滅する周期とタイミングが合った状態（互いに同期がとれた状態）になる。
【０２３０】
あるいは、照明光周波数検出回路４８において検出される照明周波数が１２０Ｈｚであれば、パネル１０に表示される３Ｄ画像信号のフィールド周波数を、例えば１００Ｈｚから１２０Ｈｚに変更し、タイミング信号出力部４６からシャッタ眼鏡５０に供給されるシャッタ開閉用タイミング信号を６０Ｈｚ（あるいはその整数倍の周波数）にする。これにより、右目用シャッタ５２Ｒおよび左目用シャッタ５２Ｌはそれぞれ１秒間に６０回ずつ開閉動作を繰り返すようになり、その開閉動作は、照明光が明滅する周期とタイミングが合った状態（互いに同期がとれた状態）になる。
【０２３１】
こうして、本実施の形態では、シャッタ眼鏡５０を通してパネル１０に表示される３Ｄ画像を鑑賞する使用者に、照明フリッカーが発生することを防止することができる。これにより、パネル１０に表示される３Ｄ画像をシャッタ眼鏡５０を通して観賞する使用者に、品質の高い３Ｄ画像を提供することが可能となる。
【０２３２】
そして、本実施の形態では、周波数変換部６６において、画像信号が２Ｄ画像信号であるとき、および照明周波数と３Ｄ画像信号のフィールド周波数が互いに等しいときには、フィールド周波数の変更を行わない。また、周波数変換部６６は、照明周波数と３Ｄ画像信号のフィールド周波数が互いに異なるときであっても、平均照度が平均照度しきい値未満であれば、フィールド周波数の変更を行わない。これにより、照明フリッカーが発生しないとき、あるいは照明フリッカーが発生する場合であっても照明フリッカーが使用者に認識されにくいときには、入力画像信号にもとづく画像をパネル１０に表示し、フィールド周波数の変換にかかる消費電力を低減することができる。
【０２３３】
なお、本実施の形態では、照明周波数と３Ｄ画像信号のフィールド周波数とが互いに異なるときに、３Ｄ画像信号のフィールド周波数と照明周波数とが互いに等しくなるように３Ｄ画像信号のフィールド周波数を変更する構成を説明したが、例えば、３Ｄ画像信号のフィールド周波数の整数倍と照明周波数とが互いに等しくなるように、または、３Ｄ画像信号のフィールド周波数と照明周波数の整数倍とが互いに等しくなるように、３Ｄ画像信号のフィールド周波数を変更する構成としてもよい。
【０２３４】
なお、本実施の形態では、時間的に連続する２枚の画像を比較して動画領域のベクトルを検出し、検出したベクトルおよび２枚の画像と補間画像との時間的な距離に応じて補間画像を作成する構成を説明したが、例えば、２枚の画像と補間画像との時間的な距離に応じた比率で２枚の画像を加算して補間画像を作成し周波数変換する構成、あるいは間引きしてフィールドの数を減らすことで周波数変換する構成であってもよい。
【０２３５】
なお、本実施の形態では、照度検出回路４７における検出結果にもとづき平均照度検出部６４において平均照度を算出し、平均照度検出部６４で検出された平均照度を比較部６５において平均照度しきい値と比較する構成を説明したが、例えば、平均照度検出部６４において、明滅する照明光の最大照度の平均値、または、最低照度の平均値を算出し、それらの平均値と、あらかじめ設定された平均照度しきい値とを比較部６５において比較する構成であってもよい。
【０２３６】
なお、本実施の形態においては、照明器具にインバーター等が使用され照明光の明滅周期が十分に早く、使用者に照明フリッカーが知覚され難いときには、シャッタ眼鏡５０のシャッタ開閉動作と照明光の明滅周期とが非同期であっても、３Ｄ画像信号のフィールド周波数は変更しないものとする。同様に、照明器具から常に一定の明るさで照明光が照射され、照明光に明滅が生じないときも、３Ｄ画像信号のフィールド周波数を変更しないものとする。本実施の形態では、例えば、２４０Ｈｚ程度までの照明周波数を有する照明光の明滅を光検出部８１で検出し、光検出部８１が照明光の明滅を検出できなければ画像信号のフィールド周波数を変更しない構成とすることで、上述の構成を実現することができる。また、本実施の形態では、照明光の明滅周期が遅いときに（例えば、照明周波数が２０Ｈｚ以下のときに）３Ｄ画像信号のフィールド周波数を変更しない構成としてもよい。
【０２３７】
なお、本実施の形態では、照明周波数が１００Ｈｚであり３Ｄ画像信号のフィールド周波数が１２０Ｈｚのときに３Ｄ画像信号のフィールド周波数を１００Ｈｚに変更する例、および、照明周波数が１２０Ｈｚであり３Ｄ画像信号のフィールド周波数が１００Ｈｚのときに３Ｄ画像信号のフィールド周波数を１２０Ｈｚに変更する例を説明したが、本発明は何らこれらの周波数に限定されるものではない。本発明においては、照明周波数と３Ｄ画像信号のフィールド周波数とが互いに異なるときに、３Ｄ画像信号のフィールド周波数が照明周波数と等しくなるように３Ｄ画像信号のフィールド周波数を変更するものとする。
【０２３８】
なお、本実施の形態では、映像周波数変換回路４９は、照明周波数と３Ｄ画像信号のフィールド周波数とが互いに異なるときに、３Ｄ画像信号のフィールド周波数が照明周波数と等しくなるように３Ｄ画像信号のフィールド周波数を変更すると説明した。また、映像周波数変換回路４９は、照明光周波数検出回路４８において検出される照明周波数と３Ｄ画像信号のフィールド周波数が互いに等しいときに画像信号および垂直同期信号に変更を加えないと説明した。しかし、この「等しい」は互いの周波数が厳密に等しいことを意味しているわけではなく、実質的に等しいことを表しているものであり、上述した効果を得られる範囲での多少の誤差やばらつきは許容される。
【０２３９】
（実施の形態２）
図１６は、本発明の実施の形態２におけるプラズマディスプレイ装置１４０の回路ブロックおよびプラズマディスプレイシステムの概要を概略的に示す図である。本実施の形態に示すプラズマディスプレイシステムは、プラズマディスプレイ装置１４０とシャッタ眼鏡５０とを構成要素に含む。
【０２４０】
プラズマディスプレイ装置１４０は、パネル１０と、パネル１０を駆動する駆動回路とを備えている。駆動回路は、画像信号処理回路４１、データ電極駆動回路４２、走査電極駆動回路４３、維持電極駆動回路４４、制御信号発生回路４５、照度検出回路４７、照明光周波数検出回路４８、映像周波数変換回路１４９および各回路ブロックに必要な電源を供給する電源回路（図示せず）を備えている。
【０２４１】
なお、本実施の形態では、実施の形態１に示したプラズマディスプレイ装置４０と同じ動作をする回路ブロックについては同じ符号を付与し、説明を省略する。
【０２４２】
本実施の形態に示すプラズマディスプレイ装置１４０は、実施の形態１に示したプラズマディスプレイ装置４０に示した映像周波数変換回路４９に代えて、映像周波数変換回路１４９を有する。
【０２４３】
実施の形態１では、平均照度検出部６４において検出された平均照度と、あらかじめ設定された平均照度しきい値とを比較し、照明周波数と３Ｄ画像信号のフィールド周波数が互いに異なるときであっても、平均照度が平均照度しきい値未満であれば、フィールド周波数の変更を行わない構成を説明した。これは、照明光が十分に暗ければ、使用者に照明フリッカーが認識されにくいためである。
【０２４４】
これと同様に、例えば、窓から射し込む太陽光が室内を十分に明るくしている場合等、照明光以外の光による照度が十分に高ければ、使用者に照明フリッカーは認識されにくい。そこで、本実施の形態における映像周波数変換回路１４９では、照明光が明滅するときの最低照度を検出し、最低照度が十分に高ければ、照明周波数と３Ｄ画像信号のフィールド周波数が互いに異なるときであっても、フィールド周波数の変更を行わないものとする。
【０２４５】
図１７は、本発明の実施の形態２における映像周波数変換回路の回路ブロックの一例である映像周波数変換回路１４９を概略的に示す図である。
【０２４６】
映像周波数変換回路１４９は、記憶装置６１、記憶装置６２、ベクトル検出部６３、周波数変換部６６、最低照度検出部１６４、比較部１６５を有する。
【０２４７】
なお、本実施の形態では、実施の形態１に示した映像周波数変換回路４９と同じ動作をする回路ブロックについては同じ符号を付与し、説明を省略する。
【０２４８】
照明光が明滅する場合、照度検出回路４７における検出結果は、周期的に変化する。最低照度検出部１６４は、照度検出回路４７における検出結果を用い、この周期的な変化の最低値の所定の時間の平均値を最低照度として算出する。この所定の時間は、例えば１０秒間である。しかし、本実施の形態において、最低照度を算出する際の時間の長さは、何ら１０秒間に限定されるものではなく、１０秒未満であってもよく、あるいは１０秒以上であってもよい。最低照度を算出する際の時間は、プラズマディスプレイ装置４０の仕様等に応じて最適に設定することが望ましい。
【０２４９】
比較部１６５は、最低照度検出部１６４において検出された最低照度と、あらかじめ設定された最低照度しきい値とを比較し、最低照度が最低照度しきい値以上かどうかを判断して、その判断結果を出力する。なお、本実施の形態において、この最低照度しきい値は、例えば１５０ｌｘ（ルクス）に相当する数値である。しかし、この１５０ｌｘという数値は単なる一数値例に過ぎず、本実施の形態において、最低照度しきい値は何らこの数値に限定されるものではない。最低照度しきい値は、プラズマディスプレイ装置４０の仕様等に応じて最適に設定することが望ましい。
【０２５０】
そして、周波数変換部６６は、照明周波数と３Ｄ画像信号のフィールド周波数が互いに異なるときであっても、最低照度が最低照度しきい値以上であれば、フィールド周波数の変更を行わない。これにより、照明フリッカーが発生する場合であっても照明フリッカーが使用者に認識されにくいときには、入力画像信号にもとづく画像をパネル１０に表示し、フィールド周波数の変換にかかる消費電力を低減することができる。
【０２５１】
なお、上述した構成と、実施の形態１に示した構成とを組み合わせて用いることも可能である。
【０２５２】
図１８は、本発明の実施の形態２における映像周波数変換回路の回路ブロックの他の一例である映像周波数変換回路２４９を概略的に示す図である。
【０２５３】
映像周波数変換回路２４９は、記憶装置６１、記憶装置６２、ベクトル検出部６３、周波数変換部６６、平均照度検出部６４、比較部６５、最低照度検出部１６４、比較部１６５、比較結果合成部６７を有する。
【０２５４】
なお、映像周波数変換回路４９および映像周波数変換回路１４９と同じ動作をする回路ブロックについては同じ符号を付与し、説明を省略する。
【０２５５】
比較結果合成部６７は、比較部６５における比較結果および比較部１６５における比較結果を合成し、周波数変換部６６に出力する。
【０２５６】
したがって、周波数変換部６６は、照明周波数と３Ｄ画像信号のフィールド周波数が互いに異なるときであっても、平均照度が平均照度しきい値未満であるか、あるいは、最低照度が最低照度しきい値以上であれば、フィールド周波数の変更を行わない。これにより、照明フリッカーが発生する場合であっても照明フリッカーが使用者に認識されにくいときには、入力画像信号にもとづく画像をパネル１０に表示し、フィールド周波数の変換にかかる消費電力を低減することができる。
【０２５７】
なお、図４、図５に示した駆動電圧波形は本発明の実施の形態における一例を示したものに過ぎず、本発明は何らこれらの駆動電圧波形に限定されるものではない。また、図３、図８、図９、図１０、図１６、図１７、図１８に示した回路構成も本発明の実施の形態における一例を示したものに過ぎず、本発明は何らこの回路構成に限定されるものではない。
【０２５８】
なお、図５には、サブフィールドＳＦ６の終了後からサブフィールドＳＦ１の開始前までの間に、下り傾斜波形電圧を発生して走査電極ＳＣ１〜走査電極ＳＣｎに印加する例を示したが、これらの電圧は発生せずともよい。例えば、サブフィールドＳＦ６の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０２５９】
なお、本発明の実施の形態においては、２Ｄ駆動時においては１つのフィールドを８つのサブフィールドで構成し、３Ｄ駆動時においては１つのフィールドを６つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０２６０】
また、本発明の実施の形態においては、２Ｄ駆動時においてはサブフィールドＳＦ１〜サブフィールドＳＦ８の各サブフィールドの輝度重みを（１、２、４、８、１６、３２、６４、１２８）に設定し、３Ｄ駆動時においてはサブフィールドＳＦ１〜サブフィールドＳＦ６の各サブフィールドの輝度重みを（１、１６、８、４、２、１）に設定する例を説明した。しかし、各サブフィールドに設定する輝度重みは、何ら上記の数値に限定されるものではない。例えば、３Ｄ駆動時においてサブフィールドＳＦ１〜サブフィールドＳＦ６の各サブフィールドの輝度重みを（１、１２、７、３、２、１）等として階調を決めるサブフィールドの組み合わせに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０２６１】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２６２】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２６３】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２６４】
本発明は、３Ｄ画像表示装置として使用可能な画像表示装置において、シャッタ眼鏡を通して表示画像を観賞する使用者に対して照明光の明滅により生じる照明フリッカーを低減し、品質の高い３Ｄ画像を実現することができるので、画像表示装置や画像表示システム、加えて画像表示装置の駆動方法として有用である。
【符号の説明】
【０２６５】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０，１４０    プラズマディスプレイ装置
４１    画像信号処理回路
４２    データ電極駆動回路
４３    走査電極駆動回路
４４    維持電極駆動回路
４５    制御信号発生回路
４６    タイミング信号出力部
４７    照度検出回路
４８    照明光周波数検出回路
４９，１４９，２４９    映像周波数変換回路
５０    シャッタ眼鏡
５２Ｒ    右目用シャッタ
５２Ｌ    左目用シャッタ
６１，６２    記憶装置
６３    ベクトル検出部
６４    平均照度検出部
６５，１６５    比較部
６６    周波数変換部
６７    比較結果合成部
７１，８１    光検出部
７２，８２    電圧変換部
８３    周波数検出部
１６４    最低照度検出部
Ｌ１，Ｌ２，Ｌ４    ランプ電圧
Ｌ３    消去ランプ電圧
【図１】
2012001962.tif 000003
【図２】
2012001962.tif 000004
【図３】
2012001962.tif 000005
【図４】
2012001962.tif 000006
【図５】
2012001962.tif 000007
【図６】
2012001962.tif 000008
【図７】
2012001962.tif 000009
【図８】
2012001962.tif 000010
【図９】
2012001962.tif 000011
【図１０】
2012001962.tif 000012
【図１１】
2012001962.tif 000013
【図１２】
2012001962.tif 000014
【図１３】
2012001962.tif 000015
【図１４】
2012001962.tif 000016
【図１５】
2012001962.tif 000017
【図１６】
2012001962.tif 000018
【図１７】
2012001962.tif 000019
【図１８】
2012001962.tif 000020
【国際調査報告】
2012001962.tif 000021
2012001962.tif 000022
2012001962.tif 000023
2012001962.tif 000024
2012001962.tif 000025
2012001962.tif 000026
2012001962.tif 000027